(57)【特許請求の範囲】
【請求項１】
狭帯域モノのインターネット（ＮＢ−ＩｏＴ）を支援する無線通信システムにおいて端末（ＵＥ）が、任意接続プリアンブルを送信する方法において、
基地局（ＢＳ）から、（ｉ）プリアンブルフォーマット指示子、及び（ｉｉ）副搬送波指示子を含むダウンリンク制御情報（ＤＣＩ）を受信する段階と、
前記基地局に、前記ＤＣＩに基づいて、割り当てられた副搬送波で前記任意接続プリアンブルを送信する段階と、を含み、
前記プリアンブルフォーマット指示子は、前記任意接続プリアンブルのフォーマットがフォーマット０／１又はフォーマット２であるか否かを示し、
前記フォーマットがフォーマット０／１であることに基づいて、前記副搬送波指示子は６ビットであり、
前記フォーマットがフォーマット２であることに基づいて、前記副搬送波指示子は８ビットである、方法。
【請求項２】
前記プリアンブルフォーマット指示子の値が「０」であることに基づいて、前記フォーマットはフォーマット０／１であり、
前記プリアンブルフォーマット指示子の値が「１」であることに基づいて、前記フォーマットはフォーマット２である、請求項１に記載の方法。
【請求項３】
前記基地局から、前記任意接続プリアンブルに対する応答として任意接続応答を受信する段階をさらに含む、請求項１に記載の方法。
【請求項４】
前記副搬送波指示子のビット数は、前記任意接続プリアンブルのＩＤの最大の個数が
0006989708.tif 000063
である場合、下記の数式
0006989708.tif 000064
を介して計算される、請求項１に記載の方法。
【請求項５】
前記副搬送波指示子のビット数は、副搬送波間隔の値に基づいて、同一又は増加する、請求項１に記載の方法。
【請求項６】
前記ＤＣＩは、前記ＤＣＩのフォーマットを示すフラグ、任意接続手続繰り返しの開始番号に関する開始番号の情報、及び前記任意接続プリアンブルの送信のための搬送波に関する搬送波指示子をさらに含む、請求項１に記載の方法。
【請求項７】
前記ＤＣＩの残りのビット数は、１の値に設定される、請求項６に記載の方法。
【請求項８】
前記フォーマット０／１の副搬送波間隔は３．７５ｋＨｚであり、前記フォーマット２の副搬送波間隔は１．２５ｋＨｚである、請求項１に記載の方法。
【請求項９】
前記フォーマット０／１で、前記任意接続プリアンブルのために割り当てられた副搬送波の最大の個数は４８個であり、
前記フォーマット２で、前記任意接続プリアンブルのために割り当てられた副搬送波の最大の個数は１４４個である、請求項１に記載の方法。
【請求項１０】
前記基地局から、前記基地局が支援するプリアンブルフォーマットに関するシステム情報を受信する段階をさらに含む、請求項１に記載の方法。
【請求項１１】
狭帯域モノのインターネット（ＮＢ−ＩｏＴ）を支援する無線通信システムにおいて基地局（ＢＳ）が、任意接続プリアンブルを受信する方法において、
端末（ＵＥ）に、（ｉ）プリアンブルフォーマット指示子、及び（ｉｉ）副搬送波指示子を含むダウンリンク制御情報（ＤＣＩ）を送信する段階と、
前記端末から、前記ＤＣＩに基づいて、割り当てられた副搬送波で前記任意接続プリアンブルを受信する段階と、を含み、
前記プリアンブルフォーマット指示子は、前記任意接続プリアンブルのフォーマットがフォーマット０／１又はフォーマット２であるか否かを示し、
前記フォーマットがフォーマット０／１であることに基づいて、前記副搬送波指示子は６ビットであり、
前記フォーマットがフォーマット２であることに基づいて、前記副搬送波指示子は８ビットである、方法。
【請求項１２】
狭帯域モノのインターネット（ＮＢ−ＩｏＴ）を支援する無線通信システムにおいて任意接続プリアンブルを送信するよう構成された端末（ＵＥ）において、
無線信号を送受信するための少なくとも１つのトランシーバと、
前記少なくとも１つのトランシーバと機能的に連結されている少なくとも１つのプロセッサと、を含み、
前記少なくとも１つのプロセッサは、
基地局（ＢＳ）から、（ｉ）プリアンブルフォーマット指示子、及び（ｉｉ）副搬送波指示子を含むダウンリンク制御情報（ＤＣＩ）を受信し、
前記基地局に、前記ＤＣＩに基づいて、割り当てられた副搬送波で前記任意接続プリアンブルを送信するように制御するよう構成され、
前記プリアンブルフォーマット指示子は、前記任意接続プリアンブルのフォーマットがフォーマット０／１又はフォーマット２であるか否かを示し、
前記フォーマットがフォーマット０／１であることに基づいて、前記副搬送波指示子は６ビットであり、
前記フォーマットがフォーマット２であることに基づいて、前記副搬送波指示子は８ビットである、端末。
【請求項１３】
無線通信システムにおいて任意接続プリアンブルを送信するように端末（ＵＥ）を制御するよう構成された処理装置において、
少なくとも１つのプロセッサと、
前記少なくとも１つのプロセッサに動作可能に接続可能な少なくとも１つのコンピュータメモリと、を含み、
前記少なくとも１つのコンピュータメモリは、前記少なくとも１つのプロセッサにより実行されることに基づいて、
基地局（ＢＳ）から、（ｉ）プリアンブルフォーマット指示子、及び（ｉｉ）副搬送波指示子を含むダウンリンク制御情報（ＤＣＩ）を受信し、
前記基地局に、前記ＤＣＩに基づいて、割り当てられた副搬送波で前記任意接続プリアンブルを送信することを含む操作を行う命令を格納し、
前記プリアンブルフォーマット指示子は、前記任意接続プリアンブルのフォーマットがフォーマット０／１又はフォーマット２であるか否かを示し、
前記フォーマットがフォーマット０／１であることに基づいて、前記副搬送波指示子は６ビットであり、
前記フォーマットがフォーマット２であることに基づいて、前記副搬送波指示子は８ビットである、処理装置。
【発明の詳細な説明】
【技術分野】
【０００１】
本発明は、無線通信システムにおけるランダムアクセスプリアンブル（ｒａｎｄｏｍ  ａｃｃｅｓｓ  ｐｒｅａｍｂｌｅ）を送受信する方法に関し、より詳細に狭帯域モノのインターネット（ＮａｒｒｏｗＢａｎｄ−Ｉｎｔｅｒｎｅｔ  ｏｆ  Ｔｈｉｎｇｓ、ＮＢ−ＩｏＴ）を支援する無線通信システムにおける任意接続プリアンブル（Ｒａｎｄｏｍ  Ａｃｃｅｓｓ  Ｐｒｅａｍｂｌｅ）を送受信するための方法、及びこれを支援する装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅増加した接続デバイス数の収容、非常に低いエンドツーエンド遅延（Ｅｎｄ−ｔｏ−Ｅｎｄ  Ｌａｔｅｎｃｙ）、高エネルギー効率をサポートできなければならない。このために、多重続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）サポート、端末ネットワーキング（Ｄｅｖｉｃｅ  Ｎｅｔｗｏｒｋｉｎｇ）等、多様な技術が研究されている。
【発明の概要】
【発明が解決しようとする課題】
【０００４】
本明細書は、狭帯域モノのインターネット（ＮａｒｒｏｗＢａｎｄ−Ｉｎｔｅｒｎｅｔ  ｏｆ  Ｔｈｉｎｇｓ、ＮＢ−ＩｏＴ）を支援する無線通信システムにおけるランダムアクセスプリアンブルを送受信する方法を提案する。
【０００５】
また、本明細書は、既存のＮＰＲＡＣＨプリアンブル以外に新しいＰＲＡＣＨプリアンブルが支援される場合、既存のＮＰＲＡＣＨプリアンブル及び新しいＰＲＡＣＨプリアンブルを送受信する方法を提案する。
【０００６】
また、本明細書は、端末に割り当てられたプリアンブルが、既存のＮＰＲＡＣＨプリアンブルであるか、新しいＰＲＡＣＨプリアンブルであるか否かを区別するための方法を提案する。
【０００７】
また、本明細書は、端末に割り当てられたＮＰＲＡＣＨプリアンブルによってダウンリンク制御情報（Ｄｏｗｎｌｉｎｋ  Ｃｏｎｔｒｏｌ  Ｉｎｆｏｒｍａｔｉｏｎ：ＤＣＩ）のフィールドを構成する方法を提案する。
【０００８】
また、本明細書は、端末に割り当てられたＮＰＲＡＣＨプリアンブルによって、副搬送波のインデックスを割り当てるためのフィールドのビット数を決定する方法を提案する。
【０００９】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【００１０】
本明細書は、狭帯域モノのインターネット（Ｎａｒｒｏｗ  Ｂａｎｄ−Ｉｎｔｅｒｎｅｔ  ｏｆ  Ｔｈｉｎｇｓ、ＮＢ−ＩｏＴ）を支援する無線通信システムにおける端末が、任意接続プリアンブル（Ｒａｎｄｏｍ  Ａｃｃｅｓｓ  Ｐｒｅａｍｂｌｅ）を送信する方法において、端末によって行われる方法は、基地局からダウンリンク制御情報（Ｄｏｗｎｌｉｎｋ  Ｃｏｎｔｒｏｌ  Ｉｎｆｏｒｍａｔｉｏｎ：ＤＣＩ）を含むダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）を受信する段階と、前記ＤＣＩは、前記端末に割り当てられた任意接続プリアンブルのプリアンブルフォーマットがフォーマット０／１（ｆｏｒｍａｔ  ０／１）又はフォーマット２（ｆｏｒｍａｔ  ２）であるか否かを示す指示子を含み、前記プリアンブルフォーマットによって、前記端末に割り当てられた副搬送波で前記任意接続プリアンブルを前記基地局に送信する段階と、前記基地局から前記任意接続プリアンブルに対する応答として任意接続応答を受信する段階とを含む。
【００１１】
本発明において、前記指示子の値が「０」である場合、前記プリアンブルフォーマットはフォーマット０／１であり、前記指示子の値が「１」である場合、前記プリアンブルフォーマットはフォーマット２である。
【００１２】
本発明において、前記ＤＣＩは、前記任意接続プリアンブルを送信するための副搬送波（Ｓｕｂｃａｒｒｉｅｒ）に関する情報である副搬送波指示子（Ｓｕｂｃａｒｒｉｅｒ  Ｉｎｄｉｃａｔｉｏｎ）をさらに含む。
【００１３】
本発明において、前記プリアンブルフォーマットが前記フォーマット０／１を示す場合、前記副搬送波指示子のビット数は６ビットであり、前記プリアンブルフォーマットが前記フォーマット２を示す場合、前記副搬送波指示子のビット数は８ビットである。
【００１４】
本発明において、前記副搬送波指示子のビット数は、前記任意接続プリアンブルのＩＤの最大の個数が
0006989708.tif 000002
である場合、下記の数式を介して計算される。
【００１５】
0006989708.tif 000003
【００１６】
本発明において、前記副搬送波指示子のビット数は、副搬送波間隔（ｓｕｂｃａｒｒｉｅｒ  ｓｐａｃｉｎｇ）の値が小さくなると、同一又は増加する。
【００１７】
本発明において、前記ＤＣＩは、前記ＤＣＩのフォーマットを示すフラグ、任意接続手続繰り返しの開始番号に関する開始番号の情報、及び前記任意接続プリアンブルの送信のための搬送波に関する搬送波指示子をさらに含む。
【００１８】
本発明において、前記ＤＣＩの残りのビット数は、１の値に設定される。
【００１９】
本発明において、前記フォーマット０／１の副搬送波間隔は３．７５ｋＨｚであり、前記フォーマット２の副搬送波間隔は１．２５ｋＨｚである。
【００２０】
本発明において、前記フォーマット０／１で、前記任意接続プリアンブルのために割り当てられた副搬送波の最大の個数は４８個であり、前記フォーマット２で、前記任意接続プリアンブルのために割り当てられた副搬送波の最大の個数は１４４個である。
【００２１】
本発明は、前記基地局から前記基地局が支援するプリアンブルフォーマットに関するシステム情報を受信する段階をさらに含む。
【００２２】
本発明は、端末にダウンリンク制御情報（Ｄｏｗｎｌｉｎｋ  Ｃｏｎｔｒｏｌ  Ｉｎｆｏｒｍａｔｉｏｎ：ＤＣＩ）を含むダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）を送信する段階と、前記ＤＣＩは、前記端末に割り当てられた任意接続プリアンブルのプリアンブルフォーマットがフォーマット０／１（ｆｏｒｍａｔ  ０／１）又はフォーマット２（ｆｏｒｍａｔ  ２）であるか否かを示す指示子を含み、前記プリアンブルフォーマットによって、前記端末に割り当てられた副搬送波で前記任意接続プリアンブルを前記端末から受信する段階と、前記端末に前記任意接続プリアンブルに対する応答として任意接続応答を送信する段階とを含む。
【００２３】
本発明は、無線信号を送受信するためのＲＦモジュール（ｒａｄｉｏ  ｆｒｅｑｕｅｎｃｙ  ｍｏｄｕｌｅ）と、前記ＲＦモジュールと機能的に連結されているプロセッサとを含み、前記プロセッサは、基地局からダウンリンク制御情報（Ｄｏｗｎｌｉｎｋ  Ｃｏｎｔｒｏｌ  Ｉｎｆｏｒｍａｔｉｏｎ：ＤＣＩ）を含むダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）を受信し、前記ＤＣＩは、前記端末に割り当てられた任意接続プリアンブルのプリアンブルフォーマットがフォーマット０／１（ｆｏｒｍａｔ  ０／１）又はフォーマット２（ｆｏｒｍａｔ  ２）であるか否かを示す指示子を含み、前記プリアンブルフォーマットによって前記端末に割り当てられた副搬送波で前記任意接続プリアンブルを前記基地局に送信し、前記基地局から前記任意接続プリアンブルに対する応答として任意接続応答を受信することを特徴とする端末を提供する。
【発明の効果】
【００２４】
本発明の実施例に係ると、端末が任意接続手続のために割り当てられたプリアンブルが既存の任意接続プリアンブルであるか、新しい任意接続プリアンブルであるか認識できる効果がある。
【００２５】
また、本発明の実施例に係ると、既存の任意接続プリアンブル及び新しい任意接続プリアンブルの送信のための副搬送波インデックスを効率的に設定することができる効果がある。
【００２６】
本発明で得ることができる効果は以上で言及した効果に制限されず、言及しない更に他の効果は以下の記載から本発明が属する技術分野で通常の知識を有する者に明確に理解できるはずである。
【図面の簡単な説明】
【００２７】
本発明に関する理解を助けるために詳細な説明の一部に含まれる添付図面は本発明に対する実施形態を提供し、詳細な説明と共に本発明の技術的特徴を説明する。
【００２８】
【図１】本発明が適用できる無線通信システムにおける無線フレームの構造を示す。
【図２】本発明が適用できる無線通信システムにおける１つのダウンリンクスロットに対する資源グリッド（ｒｅｓｏｕｒｃｅ  ｇｒｉｄ）を例示した図である。
【図３】本発明が適用できる無線通信システムにおけるダウンリンクサブフレームの構造を示す。
【図４】本発明が適用できる無線通信システムにおけるアップリンクサブフレームの構造を示す。
【図５】本発明が適用できる無線通信システムにおけるコンポーネントキャリア及びキャリアアグリゲーションの一例を示す。
【図６】キャリアアグリゲーションを支援するシステムのセルの区分を例示した図である。
【図７】任意接続シンボルグループを例示した図である。
【図８】ＮＰＲＡＣＨ（Ｎ−ＰＲＡＣＨ）プリアンブルフォーマットを例示した図である。
【図９】ＮＰＲＡＣＨプリアンブルのホッピング及び間隔（ｓｐａｃｉｎｇ）の一例を示す図である。
【図１０】ＭＡＣ  ＲＡＲ（ＭＡＣ  Ｒａｎｄｏｍ  Ａｃｃｅｓｓ  Ｒｅｓｐｏｎｓｅ）の一例を示す図である。
【図１１】本明細書で提案する方法が適用できるプリアンブルの送信のための副搬送波のインデックスの一例を示す図である。
【図１２】本明細書で提案する方法が適用できるプリアンブルの送信のための副搬送波のインデックスのまた別の一例を示す図である。
【図１３】本明細書で提案する方法が適用できるプリアンブルの送信のための副搬送波のインデックスのまた別の一例を示す図である。
【図１４】本明細書で提案する方法が適用できるプリアンブルの送信のための副搬送波のインデックスのまた別の一例を示す図である。
【図１５】本明細書で提案する方法が適用できる端末が任意接続プリアンブルを送信する方法の一例を示す図である。
【図１６】本明細書で提案する方法が適用できる基地局が任意接続プリアンブルを受信する方法の一例を示す図である。
【図１７】本明細書で提案する方法が適用できる無線通信装置のブロック構成図を例示する。
【図１８】本明細書で提案する方法が適用できる無線通信装置のブロック構成図のまた別の例示である。
【発明を実施するための形態】
【００２９】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００３０】
いくつかの場合、本発明の概念が曖昧になることを避けるために、公知の構造及び装置は省略されるか、または各構造及び装置の核心機能を中心にしたブロック図形式で示されることができる。
【００３１】
本明細書において基地局は、端末と直接的に通信を行うネットワークの終端ノード（ｔｅｒｍｉｎａｌ  ｎｏｄｅ）としての意味を有する。本文書において基地局により行われると説明された特定動作は、場合によっては、基地局の上位ノード（ｕｐｐｅｒ  ｎｏｄｅ）により行われても良い。即ち、基地局を含む多数のネットワークノード（ｎｅｔｗｏｒｋ  ｎｏｄｅｓ）からなるネットワークにおいて端末との通信のために行われる多様な動作は、基地局または基地局以外の他のネットワークノードにより行われうることは明らかである。「基地局（ＢＳ：Ｂａｓｅ  Ｓｔａｔｉｏｎ）」は、固定局（ｆｉｘｅｄ  ｓｔａｔｉｏｎ）、ＮｏｄｅＢ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ），  Ｇｎｂ  （ｎｅｘｔ  Ｇｅｎｅｒａｔｉｏｎ  ＮｏｄｅＢ）  などの用語により代替されることができる。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替されることができる。
【００３２】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００３３】
以下の説明において用いられる特定用語は、本発明の理解に役立つために提供されたものであり、このような特定用語の使用は、本発明の技術的思想から外れない範囲内で他の形態に変更されることができる。
【００３４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような多様な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により具現化されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により具現化されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により具現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（ａｄｖａｎｃｅｄ）は、３ＧＰＰ  ＬＴＥの進化である。
【００３５】
また、５Ｇ  ＮＲ（ｎｅｗ  ｒａｄｉｏ）は、使用シナリオ（ｕｓａｇｅ  ｓｃｅｎａｒｉｏ）に沿って、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎｓ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）、Ｖ２Ｘ（ｖｅｈｉｃｌｅ−ｔｏ−ｅｖｅｒｙｔｈｉｎｇ）を定義する。
【００３６】
また、５Ｇ  ＮＲの規格（ｓｔａｎｄａｒｄ）は、ＮＲシステムとＬＴＥシステム間の共存（ｃｏ−ｅｘｉｓｔｅｎｃｅ）によってｓｔａｎｄａｌｏｎｅ（ＳＡ）とｎｏｎ−ｓｔａｎｄａｌｏｎｅ（ＮＳＡ）とに区分する。
【００３７】
また、５Ｇ  ＮＲは、様々な副搬送波間隔（ｓｕｂｃａｒｒｉｅｒ  ｓｐａｃｉｎｇ）を支援し、ダウンリンクでＣＰ−ＯＦＤＭを、アップリンクでＣＰ−ＯＦＤＭ及びＤＦＴ−ｓ−ＯＦＤＭ（ＳＣ−ＯＦＤＭ）を支援する。
【００３８】
本発明の実施例は、無線接続システムであるＩＥＥＥ  ８０２、３ＧＰＰ及び３ＧＰＰ２のうち少なくとも一つに開示されている標準文書によって裏付けられる。即ち、本発明の実施例のうち、本発明の技術的思想を明確に示すために、説明しない段階又は部分は前記文書によって裏付けられる。また、本文書で開示している全ての用語は、前記標準文書によって説明されることができる。
【００３９】
説明を明確にするために、３ＧＰＰ  ＬＴＥ／ＬＴＥ−Ａ／ＮＲ（Ｎｅｗ  ＲＡＴ）を中心に記述するが、本発明の技術的特徴がこれに制限されるわけではない。
【００４０】
用語の定義
【００４１】
ｅＬＴＥ  ｅＮＢ：ｅＬＴＥ  ｅＮＢは、ＥＰＣ及びＮＧＣに対する連結を支援するｅＮＢの進化（ｅｖｏｌｕｔｉｏｎ）である。
【００４２】
ｇＮＢ：ＮＧＣとの連結だけでなく、ＮＲを支援するノード。
【００４３】
新しいＲＡＮ：ＮＲ又はＥ−ＵＴＲＡを支援するか、ＮＧＣと相互作用する無線アクセスネットワーク。
【００４４】
ネットワークスライス（ｎｅｔｗｏｒｋ  ｓｌｉｃｅ）：ネットワークスライスは、終端間の範囲と共に特定の要求事項を要求する特定市場のシナリオに対して最適化されたソリューションを提供するようにオペレータによって定義されたネットワーク。
【００４５】
ネットワーク機能（ｎｅｔｗｏｒｋ  ｆｕｎｃｔｉｏｎ）：ネットワーク機能は、よく定義された外部のインターフェースと、よく定義された機能的動作を有するネットワークインフラ内での論理的ノード。
【００４６】
ＮＧ−Ｃ：新しいＲＡＮとＮＧＣ間のＮＧ２リファレンスポイント（ｒｅｆｅｒｅｎｃｅ  ｐｏｉｎｔ）に用いられるコントロールプレーンインターフェース。
【００４７】
ＮＧ−Ｕ：新しいＲＡＮとＮＧＣ間のＮＧ３リファレンスポイント（ｒｅｆｅｒｅｎｃｅ  ｐｏｉｎｔ）に用いられるユーザープレーンインターフェース。
【００４８】
非独立型（Ｎｏｎ−ｓｔａｎｄａｌｏｎｅ）ＮＲ：ｇＮＢがＬＴＥ  ｅＮＢをＥＰＣにコントロールプレーンの連結のためのアンカーとして要求するか、又はｅＬＴＥ  ｅＮＢをＮＧＣにコントロールプレーンの連結のためのアンカーとして要求する配置構成。
【００４９】
非独立型Ｅ−ＵＴＲＡ：ｅＬＴＥ  ｅＮＢがＮＧＣにコントロールプレーンの連結のためのアンカーとしてｇＮＢを要求する配置構成。
【００５０】
ユーザプレーンゲートウェイ：ＮＧ−Ｕインターフェースの終端点。
【００５１】
ヌメロロジー（ｎｕｍｅｒｏｌｏｇｙ）：周波数領域で一つの副搬送波間隔（ｓｕｂｃａｒｒｉｅｒ  ｓｐａｃｉｎｇ）に対応する。リファレンス副搬送波間隔（Ｒｅｆｅｒｅｎｃｅ  ｓｕｂｃａｒｒｉｅｒ  ｓｐａｃｉｎｇ）を整数Ｎでスケーリング（ｓｃａｌｉｎｇ）することによって、異なるヌメロロジーが定義できる。
【００５２】
ＮＲ：ＮＲ  Ｒａｄｉｏ  Ａｃｃｅｓｓ又はＮｅｗ  Ｒａｄｉｏ
【００５３】
システム一般
【００５４】
図１は、本発明が適用できる無線通信システムにおける無線フレームの構造を示す。
【００５５】
３ＧＰＰ  ＬＴＥ／ＬＴＥ−ＡではＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）構造とＴＤＤ（Ｔｉｍｅ  Ｄｉｖｉｓｉｏｎ  Ｄｕｐｌｅｘ）に適用可能なタイプ２の無線フレーム構造を支援する。
【００５６】
図１で、無線フレームの時間領域でのサイズはＴ＿ｓ＝１／（１５０００＊２０４８）の時間単位の倍数で表現される。ダウンリンク及びアップリンク転送はＴ＿ｆ＝３０７２００＊Ｔ＿ｓ＝１０ｍｓの区間を有する無線フレームで構成される。
【００５７】
図１の（ａ）は、タイプ１無線フレームの構造を例示する。タイプ１の無線フレームは、全二重（ｆｕｌｌ  ｄｕｐｌｅｘ）及び半二重（ｈａｌｆ  ｄｕｐｌｅｘ）ＦＤＤに全て適用できる。
【００５８】
無線フレーム（ｒａｄｉｏ  ｆｒａｍｅ）は１０個のサブフレーム（ｓｕｂｆｒａｍｅ）から構成される。１つの無線フレームはＴ＿ｓｌｏｔ＝１５３６０＊Ｔ＿ｓ＝０．５ｍｓ長さの２０個のスロットから構成され、各スロットは０から１９までのインデックスが与えられる。１つのサブフレームは時間領域（ｔｉｍｅ  ｄｏｍａｉｎ）で連続的な２つのスロット（ｓｌｏｔ）から構成され、サブフレームｉはスロット２ｉ及びスロット２ｉ＋１で構成される。１つのサブフレームを転送することにかかる時間をＴＴＩ（ｔｒａｎｓｍｉｓｓｉｏｎ  ｔｉｍｅ  ｉｎｔｅｒｖａｌ）という。例えば、１つのサブフレームの長さは１ｍｓであり、１つのスロットの長さは０．５ｍｓでありうる。
【００５９】
ＦＤＤでアップリンク転送及びダウンリンク転送は、周波数ドメインで区分される。全二重ＦＤＤに制限がない一方、半二重ＦＤＤ動作で端末は同時に転送及び受信を行うことができない。
【００６０】
１つのスロットは時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で多数の資源ブロック（ＲＢ：Ｒｅｓｏｕｒｃｅ  Ｂｌｏｃｋ）を含む。３ＧＰＰ  ＬＴＥはダウンリンクでＯＦＤＭＡを使用するのでＯＦＤＭシンボルは１つのシンボル区間（ｓｙｍｂｏｌ  ｐｅｒｉｏｄ）を表現するためのものである。ＯＦＤＭシンボルは１つのＳＣ−ＦＤＭＡシンボルまたはシンボル区間ということができる。資源ブロック（ｒｅｓｏｕｒｃｅ  ｂｌｏｃｋ）は資源割り当て単位であり、１つのスロットで複数の連続的な副搬送波（ｓｕｂｃａｒｒｉｅｒ）を含む。
【００６１】
図１の（ｂ）は、タイプ２のフレーム構造（ｆｒａｍｅ  ｓｔｒｕｃｔｕｒｅ  ｔｙｐｅ２）を示す。
【００６２】
タイプ２の無線フレームは、各１５３６００＊Ｔ＿ｓ＝５ｍｓの長さの２つのハーフフレーム（ｈａｌｆ  ｆｒａｍｅ）から構成される。各ハーフフレームは３０７２０＊Ｔ＿ｓ＝１ｍｓ長さの５個のサブフレームから構成される。
【００６３】
ＴＤＤシステムのタイプ２のフレーム構造でアップリンク−ダウンリンク構成（ｕｐｌｉｎｋ−ｄｏｗｎｌｉｎｋ  ｃｏｎｆｉｇｕｒａｔｉｏｎ）は全てのサブフレームに対してアップリンクとダウンリンクが割り当て（または、予約）されるかを示す規則である。
【００６４】
表１は、アップリンク−ダウンリンク構成を示す。
【００６５】
【表１】
0006989708.tif 000004
【００６６】
表１を参照すると、無線フレームの各サブフレーム別に、‘Ｄ’はダウンリンク転送のためのサブフレームを示し、‘Ｕ’はアップリンク転送のためのサブフレームを示し、‘Ｓ’はＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３種類のフィールドから構成されるスペシャルサブフレーム（ｓｐｅｃｉａｌ  ｓｕｂｆｒａｍｅ）を示す。
【００６７】
ＤｗＰＴＳは、端末での初期セル探索、同期化、またはチャンネル推定に使われる。ＵｐＰＴＳは、基地局でのチャンネル推定と端末のアップリンク転送同期を合せることに使われる。ＧＰは、アップリンクとダウンリンクの間にダウンリンク信号の多重経路遅延によってアップリンクで生じる干渉を除去するための区間である。
【００６８】
各サブフレームｉは、各Ｔ＿ｓｌｏｔ＝１５３６０＊Ｔ＿ｓ＝０．５ｍｓ長さのスロット２ｉ及びスロット２ｉ＋１で構成される。
【００６９】
アップリンク−ダウンリンク構成は７種類に区分されることができ、各構成別にダウンリンクサブフレーム、スペシャルサブフレーム、アップリンクサブフレームの位置及び／又は個数が異なる。
【００７０】
ダウンリンクからアップリンクに変更される時点又はアップリンクからダウンリンクに切り替えられる時点を切替時点（ｓｗｉｔｃｈｉｎｇ  ｐｏｉｎｔ）という。切替時点の周期性（Ｓｗｉｔｃｈ−ｐｏｉｎｔ  ｐｅｒｉｏｄｉｃｉｔｙ）は、アップリンクサブフレームとダウンリンクサブフレームが切り替えられる様相が同一に繰り返される周期を意味し、５ｍｓ又は１０ｍｓがいずれも支援される。５ｍｓのダウンリンク−アップリンク切替時点の周期を有する場合には、スペシャルサブフレーム（Ｓ）ハフ−フレーム毎に存在し、５ｍｓダウンリンク−アップリンク切替時点の周期を有する場合には、一番目のハフ-フレームにのみ存在する。
【００７１】
全ての構成において、０番、５番サブフレーム及びＤｗＰＴＳはダウンリンクの送信のみのための区間である。ＵｐＰＴＳ及びサブフレームサブフレームに直ぐにつながるサブフレームは、常時アップリンクの送信のための区間である。
【００７２】
このような、アップリンク−ダウンリンクの構成は、システム情報として基地局と端末がいずれも知っているかもしれない。基地局はアップリンク−ダウンリンクの構成情報が変わる毎に構成情報のインデックスのみを送信することによって、無線フレームのアップリンク−ダウンリンクの割り当て状態の変更を端末に知らせることができる。また、構成情報は、一種のダウンリンク制御情報として他のスケジューリング情報と同様に、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信されてもよく、放送情報としてブロードキャストチャネル（ｂｒｏａｄｃａｓｔ  ｃｈａｎｎｅｌ）を介してセル内の全ての端末に共通に送信されてもよい。
【００７３】
表２は、スペシャルサブフレームの構成（ＤｗＰＴＳ／ＧＰ／ＵｐＰＴＳの長さ）を示す。
【００７４】
【表２】
0006989708.tif 000005
【００７５】
図１の例示に従う無線フレームの構造は１つの例示に過ぎず、無線フレームに含まれる副搬送波の数またはサブフレームに含まれるスロットの数、スロットに含まれるＯＦＤＭシンボルの数は多様に変更できる。
【００７６】
図２は、本発明が適用できる無線通信システムにおける一つのダウンリンクスロットに対する資源グリッド（ｒｅｓｏｕｒｃｅ  ｇｒｉｄ）を例示した図である。
【００７７】
図２を参照すると、一つのダウンリンクスロットは時間領域で複数のＯＦＤＭシンボルを含む。ここで、一つのダウンリンクスロットは７個のＯＦＤＭシンボルを含み、一つの資源ブロックは周波数領域で１２個の副搬送波を含むことを例示的に技術するが、これに限定されるものではない。
【００７８】
資源グリッド上で各要素（ｅｌｅｍｅｎｔ）を資源要素（ｒｅｓｏｕｒｃｅ  ｅｌｅｍｅｎｔ）といい、一つの資源ブロック（ＲＢ：ｒｅｓｏｕｒｃｅ  ｂｌｏｃｋ）は１２×７個の資源要素を含む。ダウンリンクスロットに含まれる資源ブロックの数Ｎ＾ＤＬはダウンリンク転送帯域幅（ｂａｎｄｗｉｄｔｈ）に従属する。
【００７９】
アップリンクスロットの構造はダウンリンクスロットの構造と同一でありうる。
【００８０】
図３は、本発明が適用できる無線通信システムにおけるダウンリンクサブフレームの構造を示す。
【００８１】
図３を参照すると、サブフレーム内の最初スロットで前の最大３個のＯＦＤＭシンボルは制御チャンネルが割り当てられる制御領域（ｃｏｎｔｒｏｌ  ｒｅｇｉｏｎ）であり、残りのＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使われるダウンリンク制御チャンネルの一例に、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００８２】
ＰＣＦＩＣＨは、サブフレームの最初のＯＦＤＭシンボルで転送され、サブフレーム内に制御チャンネルの転送のために使われるＯＦＤＭシンボルの数（即ち、制御領域のサイズ）に関する情報を運ぶ。ＰＨＩＣＨはアップリンクに対する応答チャンネルであり、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して転送される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンク資源割り当て情報、ダウンリンク資源割り当て情報、または任意の端末グループに対するアップリンク転送（Ｔｘ）パワー制御命令を含む。
【００８３】
ＰＤＣＣＨは、ＤＬ−ＳＣＨ（Ｄｏｗｎｌｉｎｋ  Ｓｈａｒｅｄ  Ｃｈａｎｎｅｌ）の資源割り当て及び送信フォーマット（これをダウンリンクグラントともいう。）、ＵＬ−ＳＣＨ（Ｕｐｌｉｎｋ  Ｓｈａｒｅｄ  Ｃｈａｎｎｅｌ）の資源割り当て情報（これをアップリンクグラントともいう。）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨで送信されるランダムアクセス応答（ｒａｎｄｏｍ  ａｃｃｅｓｓ  ｒｅｓｐｏｎｓｅ）のような上位レイヤー（ｕｐｐｅｒ−ｌａｙｅｒ）制御メッセージに対する資源割り当て、任意の端末グループ内の個別の端末に対する送信パワー制御命令の集合、ＶｏＩＰ（Ｖｏｉｃｅ  ｏｖｅｒ  ＩＰ）の活性化等を運ぶことができる。複数のＰＤＣＣＨは制御領域内で送信されることができ、端末は複数のＰＤＣＣＨをモニタリングすることができる。ＰＤＣＣＨは１つ又は複数の連続的なＣＣＥ（ｃｏｎｔｒｏｌ  ｃｈａｎｎｅｌ  ｅｌｅｍｅｎｔｓ）の集合で構成される。ＣＣＥは、無線チャネルの状態による符号化率（ｃｏｄｉｎｇ  ｒａｔｅ）をＰＤＣＣＨに提供するために使用される論理的な割り当て単位である。ＣＣＥは、複数の資源要素グループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数は、ＣＣＥの数とＣＣＥにより提供される符号化率間の連関関係によって決定される。
【００８４】
基地局は、端末に送信しようとするＤＣＩに従ってＰＤＣＣＨのフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途に従って、固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末固有の識別子、例えば、Ｃ−ＲＮＴＩ（Ｃｅｌｌ−ＲＮＴＩ）がＣＲＣにマスキングできる。若しくは、ページングメッセージのためのＰＤＣＣＨであれば、ページング指示識別子、例えば、Ｐ−ＲＮＴＩ（Ｐａｇｉｎｇ−ＲＮＴＩ）がＣＲＣにマスキングできる。システム情報、さらに具体的に、システム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングできる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングできる。
【００８５】
ＥＰＤＣＣＨ（ｅｎｈａｎｃｅｄ  ＰＤＣＣＨ）は、端末特定（ＵＥ−ｓｐｅｃｉｆｉｃ）のシグナリングを運ぶ。ＥＰＤＣＣＨは、端末特定に設定された物理資源ブロック（ＰＲＢ：ｐｈｙｓｉｃａｌ  ｒｅｓｏｕｒｃｅ  ｂｌｏｃｋ）に位置する。言い換えると、前述したように、ＰＤＣＣＨはサブフレーム内の一番目のスロットで前の最大３個のＯＦＤＭシンボルで送信されることができるが、ＥＰＤＣＣＨはＰＤＣＣＨ以外の資源領域で送信されることができる。サブフレーム内のＥＰＤＣＣＨが始まる時点（即ち、シンボル）は、上位層のシグナリング（例えば、ＲＲＣシグナリング等）を介して端末に設定されることができる。
【００８６】
ＥＰＤＣＣＨは、ＤＬ−ＳＣＨに関する送信フォーマット、資源割り当て及びＨＡＲＱ情報、ＵＬ−ＳＣＨに関する送信フォーマット、資源割り当て及びＨＡＲＱ情報、ＳＬ−ＳＣＨ（Ｓｉｄｅｌｉｎｋ  Ｓｈａｒｅｄ  Ｃｈａｎｎｅｌ）及びＰＳＣＣＨ（Ｐｈｙｓｉｃａｌ  Ｓｉｄｅｌｉｎｋ  Ｃｏｎｔｒｏｌ  Ｃｈａｎｎｅｌ）に関する資源割り当て情報等を運ぶことができる。多重のＥＰＤＣＣＨが支援でき、端末はＥＰＣＣＨのセットをモニタリングすることができる。
【００８７】
ＥＰＤＣＣＨは、1つ又はそれ以上の連続かつ進歩したＣＣＥ（ＥＣＣＥ：ｅｎｈａｎｃｅｄ  ＣＣＥ）を用いて送信されることができ、各ＥＰＤＣＣＨフォーマット別に単一のＥＰＤＣＣＨ当たりのＥＣＣＥの個数が決められる。
【００８８】
各ＥＣＣＥは、複数の資源要素グループ（ＥＲＥＧ：ｅｎｈａｎｃｅｄ  ｒｅｓｏｕｒｃｅ  ｅｌｅｍｅｎｔ  ｇｒｏｕｐ）で構成されることができる。ＥＲＥＧは、ＥＣＣＥのＲＥへのマッピングを定義するために使用される。ＰＲＢ対別に１６個のＥＲＥＧが存在する。各ＰＲＢ対内でＤＭＲＳを運ぶＲＥを除き、全てのＲＥは、周波数が増加する順に次の時間が増加する順に０乃至１５までの番号が付与される。
【００８９】
端末は、複数のＥＰＤＣＣＨをモニタリングすることができる。例えば、端末がＥＰＤＣＣＨの送信をモニタリングする1つのＰＲＢ対内の1つ又は２つのＥＰＤＣＣＨセットが設定できる。
【００９０】
互いに異なる個数のＥＣＣＥが併合されることによって、ＥＰＣＣＨのための互いに異なる符号化率（ｃｏｄｉｎｇ  ｒａｔｅ）が実現できる。ＥＰＣＣＨは地域的送信（ｌｏｃａｌｉｚｅｄ  ｔｒａｎｓｍｉｓｓｉｏｎ）又は分散的送信（ｄｉｓｔｒｉｂｕｔｅｄ  ｔｒａｎｓｍｉｓｓｉｏｎ）を使用することができ、これによってＰＲＢ内ＲＥにＥＣＣＥのマッピングが変わり得る。
【００９１】
図４は、本発明が適用できる無線通信システムにおけるアップリンクサブフレームの構造を示す。
【００９２】
図４を参照すると、アップリンクサブフレームは周波数領域で制御領域とデータ領域とに分けられる。制御領域にはアップリンク制御情報を運ぶＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域はユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために一つの端末はＰＵＣＣＨとＰＵＳＣＨを同時に転送しない。
【００９３】
１つの端末に対するＰＵＣＣＨにはサブフレーム内に資源ブロック（ＲＢ：Ｒｅｓｏｕｒｃｅ  Ｂｌｏｃｋ）対が割り当てられる。ＲＢ対に属するＲＢは２個のスロットの各々で互いに異なる副搬送波を占める。これを、ＰＵＣＣＨに割り当てられたＲＢ対はスロット境界（ｓｌｏｔ  ｂｏｕｎｄａｒｙ）で周波数跳躍（ｆｒｅｑｕｅｎｃｙ  ｈｏｐｐｉｎｇ）されるという。
【００９４】
キャリアアグリゲーション（Ｃａｒｒｉｅｒ  Ａｇｇｒｅｇａｔｉｏｎ）
【００９５】
本発明の実施例で考慮する通信環境は、マルチキャリア（Ｍｕｌｔｉ−ｃａｒｒｉｅｒ）の支援環境を全て含む。即ち、本発明で使用されるマルチキャリアシステム又はキャリアアグリゲーション（ＣＡ：Ｃａｒｒｉｅｒ  Ａｇｇｒｅｇａｔｉｏｎ）システムとは、広帯域を支援するために、目標とする広帯域を構成する際に目標帯域よりも小さい帯域幅（ｂａｎｄｗｉｄｔｈ）を有する１つ以上のコンポーネントキャリア（ＣＣ：Ｃｏｍｐｏｎｅｎｔ  Ｃａｒｒｉｅｒ）をアグリゲーション（ａｇｇｒｅｇａｔｉｏｎ）して使用するシステムを言う。
【００９６】
本発明において、マルチキャリアはキャリアのアグリゲーション（又は、搬送波集成）を意味し、この際のキャリアのアグリゲーションは、隣接した（ｃｏｎｔｉｇｕｏｕｓ）キャリア間のアグリゲーションだけでなく、非隣接した（ｎｏｎ−ｃｏｎｔｉｇｕｏｕｓ）キャリア間のアグリゲーションをいずれも意味する。また、ダウンリンクとアップリンク間に集成するコンポーネントキャリアの数は異なって設定され得る。ダウンリンクコンポーネントキャリア（以下、「ＤＬ  ＣＣ」という。）の数とアップリンクコンポーネントキャリア（以下、「ＵＬ  ＣＣ」という）の数が同一である場合を対称的（ｓｙｍｍｅｔｒｉｃ）集成といい、その数が異なる場合を非対称的（ａｓｙｍｍｅｔｒｉｃ）集成という。このようなキャリアアグリゲーションは、搬送波集成、帯域幅集成（ｂａｎｄｗｉｄｔｈ  ａｇｇｒｅｇａｔｉｏｎ）、スペクトル集成（ｓｐｅｃｔｒｕｍ  ａｇｇｒｅｇａｔｉｏｎ）等の用語と混用して使用できる。
【００９７】
２つ以上のコンポーネントキャリアが結合されて構成されるキャリアアグリゲーションは、ＬＴＥ−Ａシステムでは１００ＭＨｚの帯域幅まで支援することを目標とする。目標の帯域よりも小さい帯域幅を有する１つ以上のキャリアを結合する際に、結合するキャリアの帯域幅は既存のＩＭＴシステムとの互換性（ｂａｃｋｗａｒｄ  ｃｏｍｐａｔｉｂｉｌｉｔｙ）の維持のために、既存のシステムで使用する帯域幅に制限し得る。例えば、既存の３ＧＰＰ  ＬＴＥシステムでは、｛１．４、３、５、１０、１５、２０｝ＭＨｚの帯域幅を支援し、３ＧＰＰ  ＬＴＥ−ａｄｖａｎｃｅｄシステム（即ち、ＬＴＥ−Ａ）では既存のシステムとの互換のために、前記の帯域幅のみを用いて２０ＭＨｚよりも大きい帯域幅を支援させることができる。また、本発明で使用されるキャリアアグリゲーションシステムは、既存のシステムで使用する帯域幅と関係なく、新しい帯域幅を定義し、キャリアアグリゲーションを支援させることもできる。
【００９８】
ＬＴＥ−Ａシステムは、無線資源を管理するためにセル（ｃｅｌｌ）の概念を使用する。
【００９９】
前述したキャリアアグリゲーションの環境は、多重セル（ｍｕｌｔｉｐｌｅ  ｃｅｌｌｓ）環境と呼ばれ得る。セルは、ダウンリンク資源（ＤＬ  ＣＣ）とアップリンク資源（ＵＬ  ＣＣ）の一対の組み合わせで定義されるが、アップリンク資源は、必須要素ではない。従って、セルはダウンリンク資源の単独、又はダウンリンク資源とアップリンク資源で構成されることができる。特定の端末がただ一つの設定されたサービングセル（ｃｏｎｆｉｇｕｒｅｄ  ｓｅｒｖｉｎｇ  ｃｅｌｌ）を有する場合、１つのＤＬ  ＣＣと１つのＵＬ  ＣＣを有することができるが、特定の端末が２つ以上の設定されたサービングセルを有する場合には、セルの数だけのＤＬ  ＣＣを有し、ＵＬ  ＣＣの数は、それと同一であってもよく、それよりも小さくてもよい。
【０１００】
或いは、その逆にＤＬ  ＣＣとＵＬ  ＣＣが構成されることもある。即ち、特定の端末が多数の設定されたサービングセルを有する場合、ＤＬ  ＣＣの数よりもＵＬ  ＣＣがさらに多いキャリアアグリゲーション環境も支援されることができる。即ち、キャリアアグリゲーション（ｃａｒｒｉｅｒ  ａｇｇｒｅｇａｔｉｏｎ）は、それぞれキャリアの周波数（セルの中心周波数）が互いに異なる２つ以上のセルのアグリゲーションと理解できる。ここで言う「セル（Ｃｅｌｌ）」は、一般的に使用される基地局がカバーする領域としての「セル」とは区分されるべきである。
【０１０１】
ＬＴＥ−Ａシステムで使用されるセルは、プライマリーセル（ＰＣｅｌｌ：Ｐｒｉｍａｒｙ  Ｃｅｌｌ）及びセカンダリセル（ＳＣｅｌｌ：Ｓｅｃｏｎｄａｒｙ  Ｃｅｌｌ）を含む。ＰセルとＳセルは、サービングセル（Ｓｅｒｖｉｎｇ  Ｃｅｌｌ）として使用されることができる。ＲＲＣ＿ＣＯＮＮＥＣＴＥＤの状態にあるが、キャリアアグリゲーションが設定されていないか、キャリアアグリゲーションを支援しない端末の場合、Ｐセルのみで構成されたサービングセルがただ一つ存在する。これに対し、ＲＲＣ＿ＣＯＮＮＥＣＴＥＤの状態にあり、キャリアアグリゲーションが設定された端末の場合、１つ以上のサービングセルが存在することができ、全体のサービングセルにはＰセルと１つ以上のＳセルが含まれる。
【０１０２】
サービングセル（ＰセルとＳセル）は、ＲＲＣパラメータを介して設定されることができる。ＰｈｙｓＣｅｌｌＩｄはセルの物理層の識別子であって、０から５０３までの整数値を有する。ＳＣｅｌｌＩｎｄｅｘはＳセルを識別するために使用される簡略な（ｓｈｏｒｔ）識別子であって、１から７までの整数値を有する。ＳｅｒｖＣｅｌｌＩｎｄｅｘは、サービングセル（Ｐセル又はＳセル）を識別するために使用される簡略な（ｓｈｏｒｔ）識別子であって、０から７までの整数値を有する。０値はＰセルに適用され、ＳＣｅｌｌＩｎｄｅｘはＳセルに適用するために予め付与される。即ち、ＳｅｒｖＣｅｌｌＩｎｄｅｘで最も小さいセルＩＤ（又はセルインデックス）を有するセルがＰセルになる。
【０１０３】
Ｐセルは、プライマリー周波数（又は、ｐｒｉｍａｒｙ  ＣＣ）上で動作するセルを意味する。端末が初期の連結設定（ｉｎｉｔｉａｌ  ｃｏｎｎｅｃｔｉｏｎ  ｅｓｔａｂｌｉｓｈｍｅｎｔ）の過程を行うか、連結再設定の過程を行うのに使用されることができ、ハンドオーバーの過程で指示されたセルを称することもある。また、Ｐセルは、キャリアアグリゲーションの環境で設定されたサービングセルのうち、制御関連通信の中心になるセルを意味する。即ち、端末は自身のＰセルでのみＰＵＣＣＨを割り当てられて送信することができ、システム情報を獲得するか、モニタリング手続を変更するのにＰセルのみを用いることができる。Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）は、キャリアアグリゲーションの環境を支援する端末に移動性制御情報（ｍｏｂｉｌｉｔｙＣｏｎｔｒｏｌＩｎｆｏ）を含む上位層のＲＲＣ連結再設定（ＲＲＣＣｏｎｎｅｃｔｉｏｎＲｅｃｏｎｆｉｇｕｔａｉｏｎ）メッセージを用いて、ハンドオーバー手続のためにＰセルのみを変更することもある。
【０１０４】
Ｓセルは、セカンダリ周波数（又は、Ｓｅｃｏｎｄａｒｙ  ＣＣ）上で動作するセルを意味することができる。特定の端末にＰセルは一つのみ割り当てられ、Ｓセルは一つ以上割り当てられることができる。Ｓセルは、ＲＲＣ連結の設定が行われた以降に構成可能であり、更なる無線資源を提供するのに使用されることができる。キャリアアグリゲーションの環境で設定されたサービングセルのうちからＰセルを除いた残りのセル、即ち、ＳセルにはＰＵＣＣＨが存在しない。Ｅ−ＵＴＲＡＮはＳセルをキャリアアグリゲーションの環境を支援する端末に追加する際に、ＲＲＣ＿ＣＯＮＮＥＣＴＥＤの状態にある関連したセルの動作と関連した全てのシステム情報を特定シグナル（ｄｅｄｉｃａｔｅｄ  ｓｉｇｎａｌ）を介して提供できる。システム情報の変更は、関連したＳセルの解除及び追加によって制御されることができ、この際、上位層のＲＲＣ連結再設定（ＲＲＣＣｏｎｎｅｃｔｉｏｎＲｅｃｏｎｆｉｇｕｔａｉｏｎ）メッセージを用いることができる。Ｅ−ＵＴＲＡＮは、関連したＳセル内でブロードキャストするよりは、端末別に異なるパラメータを有する特定のシグナリング（ｄｅｄｉｃａｔｅｄ  ｓｉｇｎａｌｉｎｇ）をすることができる。
【０１０５】
初期の保安活性化過程が始まった以降、Ｅ−ＵＴＲＡＮは連結設定の過程で初期に構成されるＰセルに付加し、一つ以上のＳセルを含むネットワークを構成することができる。キャリアアグリゲーションの環境で、Ｐセル及びＳセルはそれぞれのコンポーネントキャリアとして動作できる。以下の実施例では、プライマリーコンポーネントキャリア（ＰＣＣ）はＰセルと同じ意味に使用でき、セカンダリコンポーネントキャリア（ＳＣＣ）は、Ｓセルと同じ意味に使用できる。
【０１０６】
図５は、本発明が適用できる無線通信システムにおけるコンポーネントキャリア及びキャリアアグリゲーションの一例を示す。
【０１０７】
図５の（ａ）は、ＬＴＥシステムで使用される単一のキャリア構造を示す。コンポーネントキャリアには、ＤＬ  ＣＣとＵＬ  ＣＣがある。一つのコンポーネントキャリアは、２０ＭＨｚの周波数範囲を有することができる。
【０１０８】
図５の（ｂ）は、ＬＴＥ＿Ａシステムで使用されるキャリアアグリゲーション構造を示す。図５の（ｂ）の場合に、２０ＭＨｚの周波数サイズを有する３つのコンポーネントキャリアが結合された場合を示す。ＤＬ  ＣＣとＵＬ  ＣＣがそれぞれ３つずつあるが、ＤＬ  ＣＣとＵＬ  ＣＣの数に制限があるわけではない。キャリアアグリゲーションの場合、端末は３つのＣＣを同時にモニタリングでき、ダウンリンクの信号／データを受信することができ、アップリンクの信号／データを送信することができる。
【０１０９】
もし、特定のセルでＮ個のＤＬ  ＣＣが管理される場合には、ネットワークは端末にＭ（Ｍ≦Ｎ）個のＤＬ  ＣＣを割り当てることができる。このとき、端末はＭ個の制限されたＤＬ  ＣＣのみをモニタリングし、ＤＬ信号を受信することができる。また、ネットワークは、Ｌ（Ｌ≦Ｍ≦Ｎ）個のＤＬ  ＣＣに優先順位を与え、主なＤＬ  ＣＣを端末に割り当てることができ、このような場合、ＵＥはＬ個のＤＬ  ＣＣは必ずモニタリングしなければならない。このような方式は、アップリンク送信にも同様に適用されることができる。
【０１１０】
ダウンリンク資源の搬送波周波数（又はＤＬ  ＣＣ）とアップリンク資源の搬送波周波数（又はＵＬ  ＣＣ）との間のリンケージ（ｌｉｎｋａｇｅ）は、ＲＲＣメッセージのような上位層のメッセージやシステム情報によって指示されることができる。例えば、ＳＩＢ２（Ｓｙｓｔｅｍ  Ｉｎｆｏｒｍａｔｉｏｎ  Ｂｌｏｃｋ  Ｔｙｐｅ２）によって定義されるリンケージによってＤＬ資源とＵＬ資源との組み合わせが構成できる。具体的に、リンケージは、ＵＬグラントを運ぶＰＤＣＣＨが送信されるＤＬ  ＣＣと前記ＵＬグラントを使用するＵＬ  ＣＣとの間のマッピング関係を意味してもよく、ＨＡＲＱのためのデータが送信されるＤＬ  ＣＣ（又はＵＬ  ＣＣ）とＨＡＲＱ  ＡＣＫ／ＮＡＣＫ信号が送信されるＵＬ  ＣＣ（又はＤＬ  ＣＣ）との間のマッピング関係を意味してもよい。
【０１１１】
図６は、キャリアアグリゲーションを支援するシステムのセルの区分を例示した図である。
【０１１２】
図６を参照すると、設定されたセル（ｃｏｎｆｉｇｕｒｅｄ  ｃｅｌｌ）は、図５のように、基地局のセルのうち測定報告を根拠にキャリアアグリゲーションできるようにしたセルであって、端末別に設定されることができる。設定されたセルは、ＰＤＳＣＨ送信に対するａｃｋ／ｎａｃｋ送信のための資源を予め予約しておくことができる。活性化されたセル（ａｃｔｉｖａｔｅｄ  ｃｅｌｌ）は、設定されたセルのうち、実際にＰＤＳＣＨ／ＰＵＳＣＨを送信するように設定されたセルであって、ＰＤＳＣＨ／ＰＵＳＣＨ送信のためのＣＳＩ（Ｃｈａｎｎｅｌ  Ｓｔａｔｅ  Ｉｎｆｏｒｍａｔｉｏｎ）報告とＳＲＳ（Ｓｏｕｎｄｉｎｇ  Ｒｅｆｅｒｅｎｃｅ  Ｓｉｇｎａｌ）送信を行うことになる。非活性化されたセル（ｄｅ−ａｃｔｉｖａｔｅｄ  ｃｅｌｌ）は、基地局の命令又はタイマー動作により、ＰＤＳＣＨ／ＰＵＳＣＨ送信をしないようにするセルであって、ＣＳＩ報告及びＳＲＳ送信も中断することができる。
【０１１３】
狭帯域物理任意接続チャネル（Ｎａｒｒｏｗｂａｎｄ  ｐｈｙｓｉｃａｌ  ｒａｎｄｏｍ  ａｃｃｅｓｓ  ｃｈａｎｎｅｌ）
【０１１４】
図７は、任意接続シンボルグループを例示した図である。
【０１１５】
物理層の任意接続プリアンブルは、単一の副搬送波の周波数ホッピングシンボルグループに基づく。図７に示すように、シンボルグループは、長さＴｃｐの循環前置（Ｃｙｃｌｉｃ  Ｐｒｅｆｉｘ：ＣＰ）と全長がＴＳＥＱである５個の同じシンボルのシーケンスで構成される。
【０１１６】
下記の表３は、プリアンブルフォーマットに対する各パラメータ値の一例を示す。
【０１１７】
【表３】
0006989708.tif 000006
【０１１８】
ギャップ（Ｇａｐ）なしで送信された４個のシンボルグループで構成されたプリアンブルは、
0006989708.tif 000007
回送信されるべきである。
【０１１９】
もし、ＭＡＣ層によってトリガーされる場合、任意接続プリアンブルの送信は、特定の時間及び周波数資源に制限されることができ、上位層によって提供されるＮＰＲＡＣＨの構成は、下記のような事項が含まれる。
【０１２０】
−  ＮＰＲＡＣＨ資源周期
0006989708.tif 000008
(nprach-Periodicity)、
【０１２１】
−  ＮＰＲＡＣＨに割り当てられた一番目の副搬送波の周波数位置
0006989708.tif 000009
(nprach-SubcarrierOffset)、
【０１２２】
−  ＮＰＲＡＣＨに割り当てられた副搬送波の個数
0006989708.tif 000010
(nprach-NumSubcarriers)、
【０１２３】
−  競合ベースのＮＰＲＡＣＨの任意接続に割り当てられた開始の副搬送波の個数
0006989708.tif 000011
(nprach-NumCBRA-StartSubcarriers)、
【０１２４】
−  各試み当たりのＮＰＡＣＨの繰り返しの回数
0006989708.tif 000012
(numRepetitionsPerPreambleAttempt)、
【０１２５】
−  ＮＰＲＡＣＨの開始時間
0006989708.tif 000013
(nprach-StartTime),、
【０１２６】
−  マルチトーンメッセージ３の送信を支援するＵＥの表示のために予約されたＮＰＲＡＣＨ副搬送波範囲に対する開始の副搬送波のインデックスを計算するための割合
0006989708.tif 000014
(nprach-SubcarrierMSG3-RangeStart)。
【０１２７】
ＮＰＲＡＣＨ送信は、
0006989708.tif 000015
を満たす無線フレームが始まった後に、
0006989708.tif 000016
の時間単位でのみ始めることができる。
【０１２８】
0006989708.tif 000017
時間ユニットの送信後に
0006989708.tif 000018
の時間ユニットのギャップは挿入されることができ、
0006989708.tif 000019
であるＮＰＲＡＣＨの構成は有効ではないことがある。
【０１２９】
競合ベースの任意接続に割り当てられたＮＰＲＡＣＨの開始の副搬送波は、
0006989708.tif 000020
と
0006989708.tif 000021
の二つのセットの副搬送波に分割され、二番目のセットが存在する場合、二番目のセットはマルチトーンメッセージ３の送信を支援するＵＥを指示することができる。
【０１３０】
ＮＰＲＡＣＨの送信の周波数位置は、
0006989708.tif 000022
個の副搬送波内で制限され、周波数ホッピングは、１２個の副搬送波内で使用される。ここで、ｉ番目のシンボルグループの周波数位置は、下記の数式１によって与えられる。
【０１３１】
【数１】
0006989708.tif 000023
【０１３２】
数式１において、
0006989708.tif 000024
に対する
0006989708.tif 000025
は、
0006989708.tif 000026
からＭＡＣ層により選択された副搬送波であり、疑似任意シーケンス生成器（ｔｈｅ  ｐｓｅｕｄｏ  ｒａｎｄｏｍ  ｓｅｑｕｅｎｃｅ  ｇｅｎｅｒａｔｏｒ）は、
0006989708.tif 000027
に初期化されるべきである。
【０１３３】
基底帯域信号生成（Ｂａｓｅｂａｎｄ  ｓｉｇｎａｌ  ｇｅｎｅｒａｔｉｏｎ）
【０１３４】
シンボルグループｉに対する時間連続任意接続信号ｓｉ（ｔ）は、下記の数式２のように定義されることができる。
【０１３５】
【数２】
0006989708.tif 000028
【０１３６】
数式２において、ｔは、
0006989708.tif 000029
の範囲を有し、
0006989708.tif 000030
は送信電力
0006989708.tif 000031
に従うための振幅スケーリング因子であり、
0006989708.tif 000032
、
0006989708.tif 000033
は、任意接続プリアンブルとアップリンクデータ送信間の副搬送波間隔の差を説明する。
【０１３７】
パラメータ
0006989708.tif 000034
により制御される周波数ドメインでの位置は、前記で説明した方法により導出されることができ、変数
0006989708.tif 000035
は、下記の表４によって与えられる。
【０１３８】
【表４】
0006989708.tif 000036
【０１３９】
ＰＵＳＣＨ−Ｃｏｎｆｉｇ
【０１４０】
情報要素（Ｉｎｆｏｒｍａｔｉｏｎ  Ｅｌｅｍｅｎｔ：ＩＥ）ＰＵＳＣＨ−ＣｏｎｆｉｇＣｏｍｍｏｎは、ＰＵＳＣＨ及びＰＵＣＣＨに対する共通ＰＵＳＣＨの構成及び参照信号の構成を指定するのに使用されることができ、ＩＥ  ＰＵＳＣＨ−ＣｏｎｆｉｇＤｅｄｉｃａｔｅｄは、ＵＥ特定のＰＵＳＣＨの構成を指定するのに使用されることができる。
【０１４１】
下記の表５は、ＰＵＳＣＨ−Ｃｏｎｆｉｇの構成の一例を示し、表６は、パラメータに対する定義を示す。
【０１４２】
【表５】
0006989708.tif 000037
【０１４３】
【表６】
0006989708.tif 000038
【０１４４】
ＵｐＰＴＳの場合、ｄｍｒｓＬｅｓｓ−ＵｐＰｔｓがｔｒｕｅに設定されると、マッピングは、特定のサブフレームの二番目のスロットにあるシンボル
0006989708.tif 000039
から始めて、そうでなければ、シンボル
0006989708.tif 000040
から始まる。
【０１４５】
ＰＲＡＣＨ−Ｃｏｎｆｉｇ
【０１４６】
ＩＥ  ＰＲＡＣＨ−ＣｏｎｆｉｇＳＩＢ及びＩＥ  ＰＲＡＣＨ−Ｃｏｎｆｉｇは、システム情報及び移動性制御情報でＰＲＡＣＨの構成を各々指定するために使用され、ＰＲＡＣＨ−ＣｏｎｆｉｇのＩＥは下記の表７の通りである。
【０１４７】
【表７−１】
0006989708.tif 000041
【０１４８】
【表７−２】
0006989708.tif 000042
【０１４９】
表８は、表７の各パラメータの定義を示す。
【０１５０】
【表８−１】
0006989708.tif 000043
【０１５１】
【表８−２】
0006989708.tif 000044
【０１５２】
Ｎａｒｒｏｗｂａｎｄ（ＮＢ）−ＬＴＥは、ＬＴＥシステムの１  ＰＲＢ（Ｐｈｙｓｉｃａｌ  Ｒｅｓｏｕｒｃｅ  Ｂｌｏｃｋ）に該当するシステム帯域幅（ｓｙｓｔｅｍ  ＢＷ）を有する低い複雑度（ｃｏｍｐｌｅｘｉｔｙ）、低い電力消費（ｐｏｗｅｒ  ｃｏｎｓｕｍｐｔｉｏｎ）を支援するためのシステムをいう。
【０１５３】
即ち、ＮＢ−ＬＴＥシステムは、主にｍａｃｈｉｎｅ−ｔｙｐｅ  ｃｏｍｍｕｎｉｃａｔｉｏｎ（ＭＴＣ）のような装置（ｄｅｖｉｃｅ）（又は端末）をセルラシステム（ｃｅｌｌｕｌａｒ  ｓｙｓｔｅｍ）で支援し、ＩｏＴを実現するための通信方式に利用されることもできる。即ち、ＮＢ−ＬＴＥシステムはＮＢ−ＩｏＴと称することもある。
【０１５４】
また、ＮＢ−ＩｏＴシステムは、既存のＬＴＥシステムで使用する副搬送波間隔（ｓｕｂｃａｒｒｉｅｒ  ｓｐａｃｉｎｇ）等のＯＦＤＭパラメータをＬＴＥシステムと同じものを使用することによって、ＮＢ−ＩｏＴシステムのために更なるｂａｎｄを割り当てなくてもよい。この場合、ｌｅｇａｃｙ  ＬＴＥシステムバンドの１  ＰＲＢをＮＢ−ＩｏＴ用に割り当てることによって、周波数を効率的に使用することができるというメリットがある。
【０１５５】
ＮＢ−ＩｏＴシステムの物理チャネルは、ダウンリンクの場合、Ｎ−ＰＳＳ（Ｎ−Ｐｒｉｍａｒｙ  Ｓｙｎｃｈｒｏｎｉｚａｔｉｏｎ  Ｓｉｇｎａｌ）／Ｎ−ＳＳＳ（Ｎ−Ｓｅｃｏｎｄａｒｙ  Ｓｙｎｃｈｒｏｎｉｚａｔｉｏｎ  Ｓｉｇｎａｌ）、Ｎ−ＰＢＣＨ（Ｎ−Ｐｈｙｓｉｃａｌ  Ｂｒｏａｄｃａｓｔ  Ｃｈａｎｎｅｌ）、Ｎ−ＰＤＣＣＨ／Ｎ−ＥＰＤＣＣＨ、Ｎ−ＰＤＳＣＨ等で定義されることもある。ここで、レガシーＬＴＥと区別するために、「Ｎ−」が利用されることもある。
【０１５６】
ＮＢ−ＩｏＴシステムの場合、端末はＮＰＲＡＣＨ（Ｎ−ＰＲＡＣＨ）を単一−トーン送信方式で送信することもできる。
【０１５７】
図８は、ＮＰＲＡＣＨ（Ｎ−ＰＲＡＣＨ）プリアンブルフォーマットを例示した図である。
【０１５８】
図８に示すように、既存のＦＤＤ  ＮＢ−ＩｏＴでは、二つのフォーマットのＮＰＲＡＣＨプリアンブルを使用している。
【０１５９】
具体的に、既存のＮＰＲＡＣＨプリアンブルは、単一トーン送信をし、３．７５ｋＨｚの副搬送波間隔（ｓｕｂｃａｒｒｉｅｒ  ｓｐａｃｉｎｇ）を有している。
【０１６０】
ＮＰＲＡＣＨプリアンブルは、５つのシンボルと１つのＣＰが結合し、１つのシンボルグループで構成されることができ、フォーマットの形式によってＣＰの長さが異なる。
【０１６１】
即ち、フォーマット０は、６６．６６μｓのＣＰと５つの連続した２６６．６６μｓのシンボルで構成され、シンボルの長さが１．４ｍｓになり、フォーマット１は２６６．６６μｓのＣＰと５つの連続した２６６．６６μｓのシンボルで構成され、シンボルの長さが１．６ｍｓになる。
【０１６２】
ＮＰＲＡＣＨプリアンブルの繰り返し送信のための基本単位は、４つのシンボルグループが集めて形成されるため、単一繰り返し（ｓｉｎｇｌｅ  ｒｅｐｅｔｉｔｉｏｎ）を構成している４つの連続したシンボルグループの長さはフォーマット０を使用する場合、５．６ｍｓになり、フォーマット１を使用する場合、６．４ｍｓになる。
【０１６３】
図９は、ＮＰＲＡＣＨプリアンブルのホッピング及び間隔（ｓｐａｃｉｎｇ）の一例を示す図である。
【０１６４】
図９に示すように、ＮＰＲＡＣＨプリアンブルは、２つのホッピングパターンを有することができる。即ち、ＮＰＲＡＣＨは副搬送波間隔だけの間隔を持ってホッピングされる１番目のホッピングパターンと、副搬送波間隔の６倍だけの間隔を持ってホッピングされる２番目のホッピングパターンとが設定できる。
【０１６５】
以下、本明細書は、既存のＮＰＡＣＨプリアンブル以外に新たに導入されることができるプリアンブルの設定方法、並びにこれに関する基地局及び端末の動作を提案する。
【０１６６】
既存のＰＲＡＣＨプリアンブル（以下、レガシープリアンブル（ｌｅｇａｃｙ  ｐｒｅａｍｂｌｅ））では送信範囲に限界が存在するため、プリアンブルの送信範囲の拡張のために、レガシープリアンブル以外に新しいフォーマットのプリアンブルを定義する必要性がある。
【０１６７】
このような、新しいフォーマットのプリアンブルは、レガシープリアンブルより副搬送波間隔がさらに小さい値を有することができる。
【０１６８】
例えば、フォーマット０／１を有するレガシープリアンブルの副搬送波間隔は、前記で見た通り３．７５ｋＨｚである。しかし、新しいフォーマットを有するプリアンブルは、３．７５ｋＨｚよりさらに小さい１．２５ｋＨｚの副搬送波間隔を有することができる。
【０１６９】
レガシーＰＲＡＣＨプリアンブルの場合、３．７５ｋＨｚの単一トーン送信であるため、単一搬送波（ｓｉｎｇｌｅ  ｃａｒｒｉｅｒ、１ＲＢ、１８０ｋＨｚ）に最大４８個の副搬送波を使用することができ、使用可能な副搬送波の個数によってＲＡＰＩＤも０から４７まで４８個を使用することができる。
【０１７０】
しかし、新しいフォーマットのＰＲＡＣＨプリアンブルの場合、副搬送波間隔が３．７５ｋＨｚより小さくなるため、単一搬送波で使用可能な副搬送波の最大の個数が増加することになり、これによって、ＲＡＰＩＤの個数も同様に増加すべきであるという問題点が存在する。
【０１７１】
このように、新しいプリアンブルのフォーマットが導入される場合、既存の方法と異なる方式が使用でき、本明細書は、新しいプリアンブルフォーマットの導入のための副搬送波のインデックス（例えば、プリアンブルのインデックス、ＲＡＮ２のＲＡＰＩＤ）に関する効率的な副搬送波のインデックスの設定方法を提案する。
【０１７２】
以下、本発明は、新しいプリアンブルフォーマットの導入により、副搬送波のインデックスを変更すべきである多様な場合に拡張されることができ、ＴＤＤ  ｉｎ−ｂａｎｄ  ｍｏｄｅ又はｇｕａｒｄ  ｂａｎｄ  ｍｏｄｅを考慮して説明するが、ｓｔａｎｄａｌｏｎｅ  ｍｏｄｅでも使用されることができることは自明である。
【０１７３】
図１０は、ＭＡＣ  ＲＡＲ（ＭＡＣ  Ｒａｎｄｏｍ  Ａｃｃｅｓｓ  Ｒｅｓｐｏｎｓｅ）の一例を示す図である。
【０１７４】
図１０の（ａ）は、ＮＢ−ＩｏＴのＥ／Ｔ／ＲＡＰＩＤ  ＭＡＣサブヘッダの一例を示し、（ｂ）は、ＮＢ−ＩｏＴのＥ／Ｔ／ＲＲ／ＢＩ  ＭＡＣサブヘッダの一例を示す。図１０の（ｃ）は、ＮＢ−ＩｏＴのＭＡＣ  ＲＡＲの一例を示す。
【０１７５】
前記で見た通り、新しいプリアンブルは、副搬送波間隔が３．７５ｋＨｚよりもさらに小さくなるため、使用できるＲＡＰＩＤの個数も既存の４８個よりもさらに多くの数を使用することができる。
【０１７６】
しかし、Ｅ／Ｔ／ＲＡＰＩＤ  ＭＡＣサブヘッダの大きさを変更しない場合、６ビットをＲＡＰＩＤのために使用するため、ＲＡＰＩＤは最大６４個までのみ使用が可能である。
【０１７７】
以下、新しいプリアンブルのための副搬送波のインデックス（又はＲＡＰＩＤ）の割り当て方法について見てみる。
【０１７８】
レガシープリアンブルのためのＮＰＲＡＣＨ資源を共有する場合
【０１７９】
以下、本実施例では、新しいフォーマット（以下、フォーマット２）のプリアンブル（以下、新しいプリアンブル）のＮＰＲＡＣＨ資源をレガシープリアンブルのＮＰＲＡＣＨと共有する場合に新しいプリアンブルの送信のための副搬送波のインデックスを割り当てる方法について記述する。
【０１８０】
レガシープリアンブルのために構成された資源を共有する場合、新しいプリアンブルの送信のための資源を別に割り当てられるのではないため、既存の資源をレガシープリアンブルと共に使用すべきである。
【０１８１】
従って、既存に使用可能な最大６４個のＲＡＰＩＤのうち、既存のプリアンブルのための０から４７までのＲＡＰＩＤを除いて、４８から６３までの１６個のＲＡＰＩＤを新しいプリアンブルのために使用することができる。
【０１８２】
以下、１６個のＲＡＰＩＤを新しいプリアンブルの送信のために使用するための具体的な実施例について記述する。
【０１８３】
実施例１
【０１８４】
図１１は、本明細書で提案する方法が適用できるプリアンブルの送信のための副搬送波のインデックスの一例を示す図である。
【０１８５】
図１１を参照すると、新しいプリアンブルの送信のための資源がレガシープリアンブルの送信のための資源と周波数上でオーバーラップされて構成されることができる。
【０１８６】
１６個のＲＡＰＩＤ（例えば、４８から６３まで）を新しいプリアンブルのために使用する際に、既設定された特定の規則によって開始の副搬送波のインデックスを設定することができる。
【０１８７】
即ち、既設定された規則によって新しいプリアンブルを送信するための開始の副搬送波のインデックスを設定し、設定された開始の副搬送波のインデックスに基づいて残りの新しいプリアンブルの送信のための残りの副搬送波のインデックスを設定することができる。
【０１８８】
この際、既設定された規則は、キャリア間干渉（ｉｎｔｅｒ  ｃａｒｒｉｅｒ  ｉｎｔｅｒｆｅｒｅｎｃｅ）を考慮し、開始の副搬送波の位置を特定値だけ落として使用すると設定されることができる。
【０１８９】
本実施例において、新しいプリアンブルのためのＮＰＲＡＣＨの資源境界（ｒｅｓｏｕｒｃｅ  ｂｏｕｎｄａｒｙ）の基本単位は、レガシープリアンブルのためのＮＰＲＡＣＨ資源の境界と同一でなければならないため、４５ｋＨｚを維持することができる。
【０１９０】
即ち、レガシープリアンブルの場合、副搬送波間隔が３．７５ｋＨｚであるため、資源境界の基本単位は４５ｋＨｚ（３．７５ｋＨｚ  ＊  １２）になる。従って、新しいプリアンブルも、資源境界の基本単位を４５ｋＨｚに合わせるために、トーンの数が決定できる。
【０１９１】
例えば、新しいプリアンブルの副搬送波間隔が１．２５ｋＨｚである場合、資源境界の基本単位が４５ｋＨｚになるために、３６個のトーンが使用できる（１．２５ｋＨｚ＊３６＝４５ｋＨｚ）。
【０１９２】
新しいプリアンブルのためのＲＡＰＩＤは、レガシープリアンブルと資源を共有するため、１６個しか使用できず、新しいプリアンブルのためのＮＰＲＡＣＨ資源の領域は４５ｋＨｚを超えないことがある。
【０１９３】
このような特徴を反映する場合、既設定されるＲＡＰＩＤの規則は、下記数式3の通りである。
【０１９４】
［数３］
４８  ＋  ｆｌｏｏｒ  （ＳＣＥＰ／３）
【０１９５】
数式3において、ＳＣＥＰは新しいプリアンブルの送信のために使用される副搬送波のインデックスを意味する。
【０１９６】
さらに、セル特定に構成されたオフセットを追加し、新しいプリアンブルのＲＡＰＩＤを設定することができる。
【０１９７】
例えば、セル特定に設定されたオフセットをＳＣＥＰ、ｏｆｆｓｅｔとすれば、ＲＡＰＩＤは下記数式4によって設定されることができる。
【０１９８】
［数４］
４８  ＋  ｆｌｏｏｒ  ｛（ＳＣＥＰ＋ＳＣＥＰ、ｏｆｆｓｅｔ）／３｝
【０１９９】
セル特定のオフセット値は、レガシープリアンブルのためのＮＰＲＡＣＨ資源と周波数軸上でオーバーラップされて構成されても、新しいプリアンブルが動作できるように０又は２の値を有することができる。
【０２００】
即ち、セル特定のオフセット値が「１」の値を有すると、レガシープリアンブルが占有しているところを侵すため、セル特定のオフセット値は０又は２のみ使用可能であると設定されることができる。
【０２０１】
下記の表９は、セル特定のオフセット値による新しいプリアンブルのＲＡＰＩＤの一例を示す。
【０２０２】
【表９】
0006989708.tif 000045
【０２０３】
表９において、ＳＣＥＰ＋ＳＣＥＰ、ｏｆｆｓｅｔの値は、実際に選択された副搬送波のインデックスにｍｏｄｕｌａｒ  ３６を適用した結果値であり得る。
【０２０４】
図１２は、本明細書で提案する方法が適用できるプリアンブルの送信のための副搬送波のインデックスのまた別の一例を示す図である。
【０２０５】
図１２を参照すると、新しいプリアンブルの送信のための副搬送波のインデックス（又はＲＡＰＩＤ）は、資源領域の設定によって各々異なって設定されることができる。
【０２０６】
具体的に、前記でレガシー端末のためのレガシープリアンブルのＲＡＰＩＤを０から４７から設定することを例に挙げて説明したが、レガシーＳＩＢ（Ｓｙｓｔｅｍ  Ｉｎｆｏｒｍａｔｉｏｎ  Ｂｌｏｃｋ）を介して構成された資源領域の数字によって、新しいプリアンブルのＲＡＰＩＤが決定されることもある。
【０２０７】
即ち、レガシーＮＰＲＡＣＨのための資源を｛ｎ１２、ｎ２４、ｎ３６、ｎ４８｝のうち一つに設定された場合、新しいプリアンブルのためのＲＡＰＩＤは｛１２〜６３、２４〜６３、３６〜６３、４８〜６３｝のように設定されることができる。
【０２０８】
言い換えると、構成された資源領域によって、各々５２、４０、２８又は１６個のＲＡＰＩＤのうち一つが新しいプリアンブルのために選択されて適用されることができ、新しいプリアンブルのためのＮＰＲＡＣＨ資源の領域は、４５ｋＨｚよりも大きい値に設定されることができる。
【０２０９】
また、１．２５ｋＨｚ基準に１つの副搬送波のインデックス毎に各々ＲＡＰＩＤが設定でき、実際に設定された資源領域でＲＡＰＩＤが１つずつ設定されても、設定された計ＲＡＰＩＤの個数が最大個数よりも小さい場合、残りの領域はｒｅｓｅｒｖｅｄに設定されることができる。
【０２１０】
この場合、新しいプリアンブルが送信される副搬送波の位置はＳＩＢによって設定される値によって決定されることができ、ＲＡＰＩＤは独立に設定されることができる。
【０２１１】
例えば、レガシーＮＰＲＡＣＨのために割り当てられた資源領域が２４個の副搬送波（即ち、ｎ２４を設定される）であり、新しいプリアンブルのための資源領域をレガシー副搬送波のインデックスを基準に＃０から＃１１まで設定（新しいプリアンブルの基準＃０から＃３５まで）される場合、新しいプリアンブルのＲＡＰＩＤは、図１２の（ａ）に示すように、２４から５９まで使用されるように設定されることができる。
【０２１２】
また別の実施例として、レガシーＮＰＲＡＣＨのために割り当てられた資源領域が２４個の副搬送波（即ち、ｎ２４を設定される）であり、新しいプリアンブルのための資源領域をレガシー副搬送波のインデックスを基準に＃１２から＃２３まで設定（新しいプリアンブルの基準＃３６から＃７１まで）される場合、新しいプリアンブルのＲＡＰＩＤは、図１２の（ｂ）に示すように、２４から５９まで使用されるように設定されることができる。
【０２１３】
図１２の（ａ）及び（ｂ）に示す方法は、新しいプリアンブルのＮＰＲＡＣＨ資源をレガシープリアンブルのＮＰＲＡＣＨ資源と共有しない場合にも適用されることができる。
【０２１４】
図１２の（ｂ）とは異なり、レガシーＮＰＲＡＣＨのための資源を｛ｎ１２、ｎ２４、ｎ３６、ｎ４８｝のうち一つに設定され、新しいプリアンブルを送信するための資源がレガシーＮＰＲＡＣＨのために設定された資源のうち、副搬送波のインデックスを基準に最も大きいインデックスを有する副搬送波の方に設定されることができる。
【０２１５】
この場合、図１２の（ｃ）に示すように、新しいプリアンブルのためのＲＡＰＩＤは、レガシープリアンブルのＲＡＰＩＤを一部を使用することができる。
【０２１６】
即ち、レガシーＮＰＲＡＣＨのために割り当てられた資源領域が２４個の副搬送波（即ち、ｎ２４を設定される）であり、新しいプリアンブルのための資源領域をレガシー副搬送波のインデックスを基準に＃１２から＃２３まで設定（新しいプリアンブルの基準＃３６から＃７１まで）される場合、レガシープリアンブルを送信することができる副搬送波のうち最も大きいインデックス値を有する副搬送波の方に新しいプリアンブルのための副搬送波が割り当てられる。
【０２１７】
このような場合、新しいプリアンブルを送信する端末は、該当する領域でレガシープリアンブルを送信する端末はレガシープリアンブルを送信しないと認識することができる。
【０２１８】
実施例２
【０２１９】
レガシープリアンブルのためのＮＰＲＡＣＨ資源の特定領域（例えば、競合フリー（ｃｏｎｔｅｎｔｉｏｎ  ｆｒｅｅ）領域）に新しいプリアンブルのための資源が構成できる。
【０２２０】
この場合、新しいプリアンブルのためのＲＡＰＩＤが新たに設定されて使用されず、レガシーＲＡＰＩＤが使用できる。
【０２２１】
端末が新しいプリアンブルを送信するために副搬送波を選択する場合、３．７５ｋＨｚの副搬送波間隔を基準に副搬送波のインデックスを選択し、選択された副搬送波のインデックスに該当するＲＡＰＩＤを使用するように設定されることができる。
【０２２２】
この場合、新しいプリアンブルは、３．７５ｋＨｚより小さい（例えば、１．２５ｋＨｚ）の副搬送波間隔を使用するため、端末が選択した副搬送波内に新しいプリアンブルを送信するための複数の副搬送波が存在し得、端末は複数の副搬送波のうち１つを選択し、新しいプリアンブルを送信することができる。
【０２２３】
例えば、新しいプリアンブルのための副搬送波間隔が１．２５ｋＨｚである場合、端末が選択した副搬送波内に最大３個の候補の副搬送波が存在し得、端末は３個の候補の副搬送波のうち１つを選択し、新しいプリアンブルを送信することができる。
【０２２４】
この際、同一のセル内で全ての端末は同じ値に基づいて３個の候補の副搬送波のうち１つを選択するように設定されることができ、互いに異なるセルは互いに異なる値を有することができる。
【０２２５】
例えば、端末は新しいプリアンブルの送信のための３個の候補の副搬送波のうち、セルＩＤに基づいて１つの副搬送波を選択することができる。
【０２２６】
具体的に、端末は新しいプリアンブルを送信するために選択した３．７５ｋＨｚの副搬送波間隔を有する副搬送波がＳＣ３．７５である場合、実際に新しいプリアンブルを送信するための１．７５ｋＨｚの副搬送波間隔を有する副搬送波のインデックスＳＣ１．７５は、下記の数式5のように決定されることができる。
【０２２７】
［数５］
ＳＣ１．２５  ＝  ＳＣ３．７５  ＊３  ＋  （ＣＩＤ  ｍｏｄｕｌａｒ  ３）
【０２２８】
数式5によって、ＳＣ３．７５が３２であり、ＣＩＤが２０である場合、ＳＣ１．２５は９８になることができる。この場合、端末は単一の搬送波を１．２５  ｋＨｚの副搬送波で構成したとき、９８番の副搬送波に新しいプリアンブルを送信することができる。
【０２２９】
この際、ＳＣ３．７５が３２であるため、新しいプリアンブルのＲＡＰＩＤは３２になることができる。
【０２３０】
数式5において、副搬送波間隔が３．７５ｋＨｚと１．２５ｋＨｚであって、３倍の差異が出るため、３が入り、副搬送波間隔の差異値によって数式「３」の値は変更され得る。
【０２３１】
このような方法を使用する場合、セルに特定されて使用される特定の副搬送波のインデックス（例えば、１．２５ｋＨｚ基準）が決定されるため、イントラセル内で新しいプリアンブルを送信する端末間にｉｎｔｅｒ−ｃａｒｒｉｅｒ−ｉｎｔｅｒｆｅｒｅｎｃｅの影響が減少するという効果がある。
【０２３２】
実施例３
【０２３３】
レガシープリアンブルのためのＮＰＲＡＣＨ資源の特定領域（例えば、競合フリー領域）に新しいプリアンブルのための資源が構成できる。
【０２３４】
この場合、新しいプリアンブルのためのＲＡＰＩＤの最大値が６４よりも大きい場合、ＲＡＰＩＤを設定する方法について見る。
【０２３５】
＜実施例３−１＞
【０２３６】
新しいプリアンブルのためのＲＡＰＩＤの最大値が６４よりも大きい場合、ＲＡＲサブヘッダの６ビットフィールドとｒｅｓｅｒｖｅｄフィールドを用いてＲＡＰＩＤを設定することができる。
【０２３７】
具体的に、Ｋ個（Ｋは４７よりも小さい量の整数）の副搬送波をレガシーＮＰＲＡＣＨ資源のために設定されるか、更なるパラメータを介してレガシープリアンブルのための領域にＫ個の副搬送波が設定された場合（例えば、０からＫ−１までのＲＡＰＩＤをレガシープリアンブルのために使用する場合）、Ｋから６２まではＲＡＲのサブヘッダの６ビットフィールドで表現することができるため、レガシープリアンブルと混同される場合が発生しない。
【０２３８】
しかし、新しいプリアンブルのためのＲＡＰＩＤの最大値がＲＡＰＩＤＭＡＸであり、ＲＡＰＩＤＭＡＸ値が６４と同一であるか、さらに大きい量の整数であれば、６３からＲＡＰＩＤＭＡＸ−１までのＲＡＰＩＤは、ＲＡＲのｒｅｓｅｒｖｅｄフィールドを用いて設定することができる。
【０２３９】
この場合、ＲＡＲサブヘッダのＲＡＰＩＤフィールド値は、特定値に固定されて設定されることができる。
【０２４０】
例えば、サブヘッダのＲＡＰＩＤフィールドの値が「６３」（例えば、ａｌｌ  １  ｆｏｒ  ＲＡＰＩＤ  ｆｉｅｌｄ）に設定された場合、サブヘッダのＲＡＰＩＤフィールドの６ビットが全て使用されたということを示すため、端末はサブヘッダのＲＡＰＩＤフィールドではないＲＡＲのｒｅｓｅｒｖｅｄフィールドを介してＲＡＰＩＤを確認することができる。
【０２４１】
ＲＡＲのｒｅｓｅｒｖｅｄフィールドは計６ビットがあるが、連続的に存在する５ビットを新しいプリアンブルのＲＡＰＩＤを示すために使用すると設定すると、最大６３個のＲＡＰＩＤを更に表現することができる（６ビットを使用する場合、最大１２７個のＲＡＰＩＤをさらに表現可能）。
【０２４２】
このような方法を使用すると、レガシープリアンブルのために使用されるＲＡＰＩＤとも重複しないため、レガシーＵＥに与える影響がないというメリットがある。
【０２４３】
＜実施例３−２＞
【０２４４】
新しいプリアンブルのためのＲＡＰＩＤの最大値が６４よりも大きい場合、サブヘッダでレガシープリアンブルのために使用されるビット以外のビットを用いて、新しいプリアンブルのＲＡＰＩＤを設定することができる。
【０２４５】
具体的に、Ｋ個（Ｋは４７よりも小さい量の整数）の副搬送波がレガシーＮＰＲＡＣＨ資源のために設定されるか、更なるパラメータを介してレガシープリアンブルのための領域にＫ個の副搬送波が設定された場合（例えば、０からＫ−１までＲＡＰＩＤがレガシープリアンブルのために使用される場合）、ＲＡＲサブヘッダ値はＫから６３のうち特定の一つの値（例えば、６３（＝ＲＡＰＩＤフィールドの全ての値が１））、又はＫから６３の値のうち何れの値になることができ、この値は、いずれも新しいプリアンブルということを指示する値に使用されるように設定されることができる。
【０２４６】
即ち、レガシー端末は、ＲＡＲサブヘッダのＲＡＰＩＤフィールド値がＫから６３のうち一つに設定される場合、レガシープリアンブルに対するＲＡＲではないということを認識することができる。
【０２４７】
また、実際に新しいプリアンブルのＲＡＰＩＤ値はＲＡＲのＲｅｓｅｒｖｅｄフィールドを介して設定され、端末に送信されるように設定されることができる。
【０２４８】
ＲＡＲのＲｅｓｅｒｖｅｄフィールドの５ｂｉｔを新しいプリアンブルのためのＲＡＰＩＤフィールドに使用されるように設定される場合、新しいプリアンブルのためのＲＡＰＩＤ値は、０から６３又はＫからＫ＋６３まで設定されることができる。
【０２４９】
新しいプリアンブルのためにＲＡＲのＲｅｓｅｒｖｅｄフィールドを６ビット使用すると、最大１２７個のＲＡＰＩＤを更に示すことができる。
【０２５０】
このような方法を使用すると、レガシープリアンブルが使用するＲＡＰＩＤと新しいプリアンブルのＲＡＰＩＤが重ならないため、レガシーＵＥに与える影響がないという効果がある。
【０２５１】
また、レガシープリアンブルを送信したＵＥが認識するＲＡＰＩＤ値と新しいプリアンブルを送信したＵＥが認識するＲＡＰＩＤ値が重複しても、レガシーＵＥが確認したＲＡＲサブヘッダのＲＡＰＩＤフィールド値により、レガシーＵＥはレガシープリアンブルに対するＲＡＲではないということを認識することができるため、レガシーＵＥに与える影響がないという効果がある。
【０２５２】
新しいプリアンブルのための独立的な資源が設定される場合
【０２５３】
レガシープリアンブルのために設定されたＮＰＲＡＣＨ資源と独立に新しいプリアンブルのためのＮＰＲＡＣＨ資源が設定される場合、新しいプリアンブルは０から６３まで６４個のＲＡＰＩＤをいずれも使用するように設定されることができる。
【０２５４】
レガシーＮＰＲＡＣＨ資源の基本境界（例えば、ラップアラウンド（ｗｒａｐａｒｏｕｎｄ）される基準）は、４５ｋＨｚ（例えば、１２個のトーン）であり得る。新しいプリアンブルの副搬送波間隔は、レガシープリアンブルの副搬送波間隔よりも小さい値（例えば、１．２５ｋＨｚ）を有するため、新しいプリアンブルのＮＰＲＡＣＨ資源の基本境界も新しく設定されることができる。
【０２５５】
この際、新しいプリアンブルのために設定されたトーン数をＫとすれば、Ｋ個のトーンで構成された周波数領域は、レガシーＮＰＲＡＣＨ、ＮＰＵＳＣＨ等と多重化されるように設定されることができる。
【０２５６】
本発明で、Ｋの値は３６または４８を仮定して説明したが、Ｋは以外の値を有することもある。
【０２５７】
新しいプリアンブルのフォーマットの最大のホッピングギャップが２２．５ｋＨｚである場合、ラップアラウンド（ｗｒａｐａｒｏｕｎｄ）のために必要な領域は、最大のホッピングギャップの２倍である４５ｋＨｚになる。この場合、４５ｋＨｚ帯域で１．２５ｋＨｚの副搬送波間隔を有する副搬送波を介して新しいプリアンブルを送信するため、Ｋの値は３６になることができる。
【０２５８】
新しいプリアンブルのフォーマットの最大のホッピングギャップが３０ｋＨｚである場合、同じ方式を通じてＫ値は４８になることができる。
【０２５９】
さらに、新しいプリアンブルのフォーマットの最大のホッピングギャップが２０ｋＨｚである場合、Ｋの値は３２になることができる。この場合、Ｋの２倍を新しいプリアンブルのためのＮＰＲＡＣＨ資源に設定する場合、６４個のＲＡＰＩＤはいずれも副搬送波に１：１とマッピングされることができる。
【０２６０】
また、新しいプリアンブルのためにＮＰＲＡＣＨに割り当てられた副搬送波の個数は１から１４４までのうち、Ｋに割り切れる数に設定されることによって、ＮＰＲＡＣＨ資源を端末に知らせることができる。
【０２６１】
例えば、Ｋの値が「３６」である場合、｛ｎ３６、ｎ７２、ｎ１０８、ｎ１４４｝のうち一つの値が設定でき、Ｋの値が「４８」である場合、｛ｎ４８、ｎ９６、ｎ１４４｝のうち一つの値がＮＰＲＡＣＨ資源に設定できる。
【０２６２】
Ｋが「４８」であり、新しいプリアンブルのフォーマットのためにＮＰＲＡＣＨに割り当てられた副搬送波の個数が常時４８に固定される場合、レガシーＦＤＤと同じ個数のＲＡＰＩＤを使用すると設定されることができる。
【０２６３】
実施例４
【０２６４】
システム情報（例えば、ＳＩＢ２−ＮＢ、ＳＩＢ２２−ＮＢ等）を介して設定された副搬送波の個数によって異なる方法が使用できる。
【０２６５】
ケース１：設定された副搬送波の個数が６４よりも小さいか同一である場合、
【０２６６】
ケース２：設定された副搬送波の個数が６４よりも大きい場合
【０２６７】
ケース１の場合、基地局によって６４よりも小さいか同じ数の副搬送波がプリアンブルの送信のための資源に設定された場合、端末は０から６３までのＲＡＰＩＤを各副搬送波のインデックスに１：１にマッピングし、全て使用するように設定できる。
【０２６８】
この際、設定された副搬送波の個数である
0006989708.tif 000046
がｎ＊Ｋ（この際、ｎは１よりも大きいか同じ量の整数）であり、ｎ＊Ｋの値が６４よりも小さいか同じであるようにするｎとＫについては、０〜（ｎ＊Ｋ）−１までのＲＡＰＩＤを各副搬送波のインデックスに１：１にマッピングして使用するように設定されることができる。
【０２６９】
また、残りのｎ＊Ｋから６３までのＲＡＰＩＤはｒｅｓｅｒｖｅｄとして残しておくことができる。
【０２７０】
ケース２の場合、基地局によって６４よりも大きい数の副搬送波がプリアンブルの送信のための資源に設定された場合、端末が０から６３までのＲＡＰＩＤを事前に約束された特定の副搬送波のインデックスにマッピングして使用するように設定されることができる。
【０２７１】
もし、設定された副搬送波の数が
0006989708.tif 000047
であれば、
0006989708.tif 000048
の副搬送波のうち、
0006989708.tif 000049
６４個の副搬送波を除いた残りの６４個の副搬送波のインデックスのみ使用されるように設定されることができる。
【０２７２】
この際、選択される副搬送波は、下記のような規則を有することができ、図１３又は図１４のように構成されることができる。
【０２７３】
図１３は、本明細書で提案する方法が適用できるプリアンブルの送信のための副搬送波のインデックスのまた別の一例を示す図である。
【０２７４】
第一に、図１３に示すように設定された副搬送波の個数
0006989708.tif 000050
がｍ＊Ｋ（この際、ｍは１よりも大きいか同じ量の整数）であれば、使用されないように設定されなければならない副搬送波の数は（ｍ＊Ｋ−６４）になり、各Ｋ個の副搬送波のうち、副搬送波のインデックスが最も大きい副搬送波から（ｍ＊Ｋ−６４）／２ｍ個、副搬送波のインデックスが最も小さい副搬送波から（ｍ＊Ｋ−６４）／２ｍ個が使用されないように設定されることができる。
【０２７５】
また、残りの６４個の副搬送波は、副搬送波のインデックスが小さい値を有する副搬送波から昇順にＲＡＰＩＤ値を０から６３まで使用されると設定されることができる。
【０２７６】
例えば、Ｋが「３６」、ｍが「２」である場合、端末は基地局から計７２個の副搬送波を新しいプリアンブルのために使用するように設定されることができる。
【０２７７】
この場合、前記で説明した通り、計８個の副搬送波が使用されないように設定されなければならないので、３６個の副搬送波のうちインデックス値が最も大きい２個、最も小さい２個が使用されないように設定されると、計７２個の副搬送波のうち８個の副搬送波が使用されないように設定されることができる。
【０２７８】
このような方法を通じて新しいＮＰＲＡＣＨ資源がレガシーＮＰＲＡＣＨ、ＮＰＵＳＣＨ等と多重化される場合、使用されない搬送波がガード役割を行える。
【０２７９】
図１４は、本明細書で提案する方法が適用できるプリアンブルの送信のための副搬送波のインデックスのまた別の一例を示す図である。
【０２８０】
第二に、図１３で説明した方法と類似するが、使用されない副搬送波の位置が変更し得る。
【０２８１】
具体的に、基地局によって設定された副搬送波の個数
0006989708.tif 000051
がｍ＊Ｋ（この際、ｍは１よりも大きいか同じ量の整数）であれば、使用されないように設定されなければならない副搬送波の数は（ｍ＊Ｋ−６４）になり、各Ｋ個の副搬送波のうち副搬送波のインデックスが最も大きい副搬送波から（ｍ＊Ｋ−６４）／２個、副搬送波のインデックスが最も小さい副搬送波から（ｍ＊Ｋ−６４）／２個が使用されないように設定されることができる。
【０２８２】
即ち、計（ｍ＊Ｋ−６４）個の副搬送波が使用されないように設定できる。
【０２８３】
また、残りの６４個の副搬送波は、副搬送波のインデックスが小さい値を有する副搬送波から昇順にＲＡＰＩＤ値を０から６３まで使用されると設定されることができる。
【０２８４】
例えば、Ｋが「３６」、ｍが「２」である場合、端末は基地局から計７２個の副搬送波を新しいプリアンブルのために使用するように設定されることができる。
【０２８５】
この場合、前記で説明した通り、計８個の副搬送波が使用されないように設定されなければならないので、７２個の副搬送波のうちインデックス値が最も大きい４個、最も小さい４個が使用されないように設定されると、計７２個の副搬送波のうち８個の副搬送波が使用されないように設定できる。
【０２８６】
実施例５
【０２８７】
システム情報（例えば、ＳＩＢ２−ＮＢ、ＳＩＢ２２−ＮＢ等）を介して設定された副搬送波の個数に関係なく、特定位置の副搬送波のみ新しいプリアンブルの送信のために使用されるように既設定されることができる。
【０２８８】
基地局と端末間に既設定されることができる規則のうち一例として、Ｋ個の副搬送波で構成された新しいプリアンブルのＮＰＲＡＣＨ資源の基本領域当たりＬ個のＲＡＰＩＤを使用するように設定し、
0006989708.tif 000052
のＲＡＰＩＤが使用できる。
【０２８９】
この際、ＲＡＰＩＤを最大６４個まで使用するために、Ｌ値は
0006989708.tif 000053
のような値を有するように設定されなければならない。
【０２９０】
例えば、Ｋの値が「３６」に設定されると、Ｌは「１６」になり、使用できるＲＡＰＩＤの総個数は６４個になる。即ち、３６個の副搬送波のうち、特定の１６個の副搬送波のみを使用するため、セルに特定された特定の１６個の副搬送波のみ使用されるように設定されることができる。
【０２９１】
このような方法を通じて、セル間干渉（ｉｎｔｅｒ  ｃｅｌｌ  ｉｎｔｅｒｆｅｒｅｎｃｅ）を減少させることができるという効果がある。
【０２９２】
実施例５で特定の１６個の副搬送波は下記のような方法を通じて決定されることができる。
【０２９３】
＜実施例５−１＞
【０２９４】
特定の１６個の副搬送波は、Ｃｅｌｌ  ＩＤに基づいてｅｖｅｎ  ｎｕｍｂｅｒ  Ｃｅｌｌ  ＩＤとｏｄｄ  ｎｕｍｂｅｒ  Ｃｅｌｌ  ＩＤとを区別し、第一のグループに属したセルは、３６個の副搬送波のうち、偶数番目の副搬送波のうち最も小さい数と最も大きいインデックス値を有する副搬送波を除いた１６個の副搬送波に設定されることができる。
【０２９５】
即ち、偶数番目の副搬送波のうち、最も小さいインデックス値及び最も大きいインデックス値を有する副搬送波を除いた１６個の副搬送波が新しいプリアンブルの送信のために使用されるように設定されることができる。
【０２９６】
例えば、偶数番目の副搬送波のうち、最も小さいインデックス値及び最も大きいインデックス値を有する副搬送波を除いた１６個の副搬送波は、｛２、４、６、８、１０、１２、１４、１６、１８、２０、２２、２４、２６、２８、３０、３２｝のインデックス値を有する副搬送波になることができる。
【０２９７】
奇数番目の副搬送波のうち、最も小さいインデックス値及び最も大きいインデックス値を有する副搬送波を除いた１６個の副搬送波は、｛３、５、７、９、１１、１３、１５、１７、１９、２１、２３、２５、２７、２９、３１、３３｝のインデックス値を有する副搬送波になることができる。
【０２９８】
この場合、両端の副搬送波を使用しないことで、使用されない副搬送波は新しいＮＰＲＡＣＨ資源がレガシーＮＰＲＡＣＨ、ＮＰＵＳＣＨ等と多重化される場合、ガード役割を行える。
【０２９９】
下記の表１０は、実施例５−１に対する副搬送波のインデックスとＲＡＰＩＤの一例を示す。前記で説明した二つのグループのセルは、１つの表に基づいてＲＡＰＩＤが決定されるように設定されることができる。
【０３００】
【表１０】
0006989708.tif 000054
【０３０１】
＜実施例５−２＞
【０３０２】
実施例５−１と基本的な方法は類似するが、Ｃｅｌｌ  ＩＤに基づいてｅｖｅｎ  ｎｕｍｂｅｒ  Ｃｅｌｌ  ＩＤとｏｄｄ  ｎｕｍｂｅｒ  Ｃｅｌｌ  ＩＤとを区別し、二つのグループのセルが互いに異なる表に基づいてＲＡＰＩＤを決定することができる。
【０３０３】
即ち、奇数のインデックスを有する副搬送波を使用するセルと、偶数のインデックスを有する副搬送波を使用するセルの副搬送波のインデックスとＲＡＰＩＤのマッピングの順序が互いに異なって設定されることができる。
【０３０４】
例えば、ｅｖｅｎ  ｎｕｍｂｅｒ  Ｃｅｌｌ  ＩＤを有するセルは、下記の表１１に基づいてＲＡＰＩＤを決定することができ、ｏｄｄ  ｎｕｍｂｅｒ  Ｃｅｌｌ  ＩＤを有するセルは、下記の表１２に基づいてＲＡＰＩＤを決定することができる。
【０３０５】
【表１１】
0006989708.tif 000055
【０３０６】
【表１２】
0006989708.tif 000056
【０３０７】
表１１と表１２は、副搬送波のインデックスとＲＡＰＩＤのマッピングの順序が逆になっている。このような方法を用いると、両端の副搬送波を使用しないことで、使用されない副搬送波は新しいＮＰＲＡＣＨ資源がレガシーＮＰＲＡＣＨ、ＮＰＵＳＣＨ等と多重化される場合、ガード役割を行える。
【０３０８】
また、セル間干渉によるＲＡＰＩＤの受信誤謬の確率も減少させることができる。
【０３０９】
Ｋの値が「３６」に設定された場合、新しいプリアンブルを構成するシンボルグループ間のホッピングを行う周波数サイズが各プリアンブルが有する開始の副搬送波の値によって、下記の表１３のように４個の値のうち一つを有すると設定されることができる。
【０３１０】
【表１３】
0006989708.tif 000057
【０３１１】
本実施例のまた別の例として、Ｋ値が「４８」に設定されると、実施例５で説明した方法によって、Ｌは「２１」になり、ＲＡＰＩＤの総個数は６３個が使用されるように決定されることができる。
【０３１２】
即ち、４８個の副搬送波のうち、２１個の特定の副搬送波のみ使用されるため、セルに特定された２１個の特定の副搬送波が使用されるように設定されることができ、これは、セル間干渉（ｉｎｔｅｒ  ｃｅｌｌ  ｉｎｔｅｒｆｅｒｅｎｃｅ）を減少させることができる。
【０３１３】
この場合、６３個のＲＡＰＩＤを使用するため、０から５２までのＲＡＰＩＤが使用されるように設定されることができ、６３はｒｅｓｅｒｖｅｄとして置いておくことができる。
【０３１４】
この際、２１個の特定の副搬送波は、実施例５−１及び５−２と同様に、下記の実施例５−３及び５−４を介して設定されることができる。
【０３１５】
＜実施例５−３＞
【０３１６】
２１個の特定の副搬送波は、Ｃｅｌｌ  ＩＤに基づいてｅｖｅｎ  ｎｕｍｂｅｒ  Ｃｅｌｌ  ＩＤとｏｄｄ  ｎｕｍｂｅｒ  Ｃｅｌｌ  ＩＤとを区別し、一番目のグループに属したセルは、４８個の副搬送波のうち最も小さいインデックス値を有する副搬送波（例えば、０、１、２）と最も大きいインデックス値を有する副搬送波（例えば、４５、４６、４７）を除いた偶数番目の副搬送波と決定されることができる。
【０３１７】
即ち、４８個の副搬送波のうち最も小さいインデックス値を有する副搬送波（例えば、０、１、２）と最も大きいインデックス値を有する副搬送波（例えば、４５、４６、４７）を除いた偶数番目の副搬送波は、｛４、６、８、１０、１２、１４、１６、１８、２０、２２、２４、２６、２８、３０、３２、３４、３６、３８、４０、４２、４４｝になり、奇数番目の副搬送波は、｛３、５、７、９、１１、１３、１５、１７、１９、２１、２３、２５、２７、２９、３１、３３、３５、３７、３９、４１、４３｝になる。
【０３１８】
この場合、両端の副搬送波を使用しないことで、使用されない副搬送波は新しいＮＰＲＡＣＨ資源がレガシーＮＰＲＡＣＨ、ＮＰＵＳＣＨ等と多重化される場合、ガード役割を行える。
【０３１９】
下記の表１４は、実施例５−３に対する副搬送波のインデックスとＲＡＰＩＤの一例を示す。前記で説明した二つのグループのセルは、１つの表に基づいてＲＡＰＩＤが決定されるように設定されることができる。
【０３２０】
【表１４】
0006989708.tif 000058
【０３２１】
＜実施例５−４＞
【０３２２】
実施例５−３と基本的な方法は類似するが、Ｃｅｌｌ  ＩＤに基づいてｅｖｅｎ  ｎｕｍｂｅｒ  Ｃｅｌｌ  ＩＤとｏｄｄ  ｎｕｍｂｅｒ  Ｃｅｌｌ  ＩＤとを区別し、二つのグループのセルが互いに異なる表に基づいてＲＡＰＩＤを決定することができる。
【０３２３】
即ち、奇数のインデックスを有する副搬送波を使用するセルと偶数のインデックスを有する副搬送波を使用するセルの副搬送波のインデックスとＲＡＰＩＤのマッピングの順序が互いに異なって設定されることができる。
【０３２４】
例えば、ｅｖｅｎ  ｎｕｍｂｅｒ  Ｃｅｌｌ  ＩＤを有するセルは、下記の表１５に基づいてＲＡＰＩＤを決定することができ、ｏｄｄ  ｎｕｍｂｅｒ  Ｃｅｌｌ  ＩＤを有するセルは、下記の表１６に基づいてＲＡＰＩＤを決定することができる。
【０３２５】
【表１５】
0006989708.tif 000059
【０３２６】
【表１６】
0006989708.tif 000060
【０３２７】
本発明のまた別の実施例として、新しいプリアンブルのためのＲＡＰＩＤの個数が６４個よりも大きい場合、下記のような方法を通じて設定することができる。
【０３２８】
＜実施例６＞
【０３２９】
新しいプリアンブルのためのＲＡＰＩＤの最大値が６４よりも大きい場合、ＲＡＲサブヘッダの６ビットのフィールドとｒｅｓｅｒｖｅｄフィールドを用いて、ＲＡＰＩＤを設定することができる。
【０３３０】
具体的に、０から６３までのＲＡＰＩＤは、ＲＡＲサブヘッダの６ビットのフィールドのみで表現し、６４からＲＡＰＩＤの最大値であるＲＡＰＩＤＭＡＸまではＲＡＲのｒｅｓｅｒｖｅｄフィールドを更に使用してＲＡＰＩＤを示すように基地局は設定することができる。
【０３３１】
ＲＡＲのｒｅｓｅｒｖｅｄフィールドは、計６ビットが存在するが、周波数軸上で新しいプリアンブルのための副搬送波の個数が最大１４４個（副搬送波間隔が１．２５ｋＨｚである場合）であるので、ＲＡＲのｒｅｓｅｒｖｅｄフィールドの２ビットをさらに使用して最大１４４個のＲＡＰＩＤを示すように設定されることができる。
【０３３２】
ＲＡＲサブヘッダの６ビットにさらにＲＡＲ  ｒｅｓｅｒｖｅｄフィールドの２ビットを合わせて、計８ビットのサイズを有するフィールドを介して新しいプリアンブルのＲＡＰＩＤを示すように設定されることができる。
【０３３３】
即ち、新しいプリアンブルを送信する場合、ＲＡＲのサブヘッダでＲＡＰＩＤを示すフィールドのサイズは８ビットに設定されることができる。
【０３３４】
この際、端末は、ＲＡＲ  ｒｅｓｅｒｖｅｄフィールドをＭＳＢとして認識するように設定されることができる。例えば、ＲＡＲのサブヘッダの６ビットフィールド値がいずれも「１」であり、ＲＡＲ  ｒｅｓｅｒｖｅｄフィールドの２ｂｉｔｓ値が「０１」を示す場合、１２７（＝０１１１１１１１）のＲＡＰＩＤを示すように設定されることができる。
【０３３５】
即ち、ｒｅｓｅｒｖｅｄフィールドの値が最前の値として認識され、ＲＡＰＩＤを示すことができる。
【０３３６】
本発明のまた別の実施例として、ＲＡＲのサブヘッダの６ビットフィールドはｆｌｏｏｒ（ＲＡＰＩＤ／３）の値を示し、ＲＡＲ  ｒｅｓｅｒｖｅｄフィールドの２ビットがＲＡＰＩＤ  ｍｏｄｕｌａｒ  ３の値を示すと設定されることができる。
【０３３７】
例えば、ＲＡＰＩＤ値が１２７である場合、ｆｌｏｏｒ（１２７／３）＝４２であるので、ＲＡＲのサブヘッダの６ビットフィールドは１０１０１０で表現され、１２７  ｍｏｄｕｌａｒ  ３＝１であるので、ＲＡＲのｒｅｓｅｒｖｅｄフィールドの２ビット値は０１で表現されると設定されることができる。
【０３３８】
このような方法を通じて、１．２５ｋＨｚの副搬送波間隔を使用する新しいプリアンブルを基準に周波数軸上の可能な全ての副搬送波を使用してプリアンブルを送信することができる。
【０３３９】
本発明のまた別の実施例として、レガシープリアンブルのための資源と新しいプリアンブルのための資源が周波数軸上で同一のＲＡ−ＲＮＴＩ値を共有する開始のサブフレームを選択した場合、基地局は新しいプリアンブルのための資源を設定するＳＩＢを介してさらにＲＡＰＩＤオフセットを指示するパラメータを端末に送信することができる。
【０３４０】
即ち、新しい端末は、現在のプリアンブルを送信しようとする資源とレガシー資源が同一のＲＡ−ＲＮＴＩを使用すべきであるということが分かるため、ＳＩＢを介してさらに送信されたＲＡＰＩＤのオフセット値を認識し、新しいプリアンブルのための資源の一番目のＲＡＰＩＤ値を基地局から送信されるように設定されることができる。
【０３４１】
もし、新しいプリアンブルが７２個の副搬送波を使用するように設定され、レガシープリアンブルのための資源と新しいプリアンブルのための資源が時間軸上で同一のＲＡ−ＲＮＴＩ値を共有する場合、基地局はＲＡＰＩＤのオフセット値を端末に送信すべきであり（例えば、その値が２４である場合）、新しいプリアンブルの送信のための端末は、７２個の副搬送波に該当するＲＡＰＩＤを選択された副搬送波のインデックス＋ＲＡＰＩＤのオフセット（例えば、２４から９５）と認識するように設定されることができる。
【０３４２】
この際、ＲＡＰＩＤのオフセット値は、該当搬送波にレガシープリアンブルのための資源が１つ以上のＣＥレベル別に設定されている場合、各ＣＥレベル別に独立にＲＡＰＩＤのオフセットが送信できる。
【０３４３】
このような方法を通じて、同一のＲＡ−ＲＮＴＩ値を共有する端末間のＲＡＰＩＤまで同一である場合に発生する問題点を解決することができる。
【０３４４】
本発明のまた別の実施例として、時間軸上で同一のＲＡ−ＲＮＴＩ値を共有する開始のサブフレームを選択したレガシープリアンブルのための資源に対する構成情報を端末が直接認識し、新しいプリアンブルのための資源が有する一番最初のＲＡＰＩＤ値を決定することができる。
【０３４５】
即ち、新しいプリアンブルを送信しようとする端末は、現在のプリアンブルを送信しようとする資源とレガシー資源が同一のＲＡ−ＲＮＴＩを使用すべきであるということを認識することができるため、レガシー資源のための構成を確認し、レガシー資源で使用されるＲＡＰＩＤの最大値を計算することができる。
【０３４６】
従って、新しいプリアンブルを送信しようとする端末は、計算された値に基づいて新しいプリアンブルのための資源で使用するＲＡＰＩＤ値の範囲を判断することができ、それによるＲＡＲを送信することができる。
【０３４７】
もし、新しいプリアンブルが７２個の副搬送波を使用するように構成され、レガシープリアンブルのための資源と新しいプリアンブルのための資源が時間軸上で同一のＲＡ−ＲＮＴＩ値を共有する場合、新しいプリアンブルを送信しようとする端末は、レガシープリアンブルのための資源に該当する構成を確認し、該当資源が使用するＲＡＰＩＤの最大値であるＲＡＰＩＤｌｅｇａｃｙ＿ＭＡＸを計算することができる。
【０３４８】
ＲＡＰＩＤｌｅｇａｃｙ＿ＭＡＸを計算した端末は、新しいプリアンブルのための資源の７２個の副搬送波に該当するＲＡＰＩＤを選択された副搬送波のインデックス＋ＲＡＰＩＤｌｅｇａｃｙ＿ＭＡＸと認識することができる。
【０３４９】
例えば、ＲＡＰＩＤＭＡＸが「１２」である場合、新しいプリアンブルのためのＲＡＰＩＤは、１２〜８３と決定されることができる。
【０３５０】
このような方法は、重複するレガシー資源によって、常時独立したＲＡＰＩＤＭＡＸ値を有することができる。
【０３５１】
このような方法を通じて、同一のＲＡ−ＲＮＴＩ値を共有する端末間のＲＡＰＩＤまで同一である場合に発生する問題点を解決することができ、更なるシグナリングは必要ではない。
【０３５２】
本発明のまた別の実施例として、レガシープリアンブルのための資源と新しいプリアンブルのための資源が時間軸上で同一のＲＡ−ＲＮＴＩ値を共有する開始のサブフレームを選択した場合にのみ新しいプリアンブルのＲＡＰＩＤは特定値以降の値のみを使用するように設定されることができる。
【０３５３】
即ち、新しいプリアンブルを送信しようとする端末は、現在のプリアンブルを送信しようとする資源とレガシー資源が同一のＲＡ−ＲＮＴＩを使用すべきであるということを認識することができるため、端末は常時固定された値であるＲＡＰＩＤｌｅｇａｃｙ＿ＭＡＸ値以降のＲＡＰＩＤのみを使用することができる。
【０３５４】
この際、ＲＡＰＩＤｌｅｇａｃｙ＿ＭＡＸ値は、レガシープリアンブルが用いることができる最大値である４７であり得る。もし、新しいプリアンブルが７２個の副搬送波を使用するように設定され、レガシープリアンブルのための資源と新しいプリアンブルのための資源が時間軸上で同一のＲＡ−ＲＮＴＩ値を共有する場合、新しいプリアンブルのための資源で７２個の副搬送波に該当するＲＡＰＩＤは、選択された副搬送波のインデックス＋ＲＡＰＩＤｌｅｇａｃｙ＿ＭＡＸと端末は認識することができる。
【０３５５】
例えば、ＲＡＰＩＤｌｅｇａｃｙ＿ＭＡＸ値が４７である場合、新しいプリアンブルのためのＲＡＰＩＤは、４８〜１１９と決定されることができる。
【０３５６】
このような方法を通じて、同一のＲＡ−ＲＮＴＩ値を共有する端末間のＲＡＰＩＤまで同一である場合に発生する問題点を解決することができ、更なるシグナリングは必要ではない。
【０３５７】
また、端末がレガシープリアンブルのための資源を見て計算をする必要がないという効果もある。
【０３５８】
新しいプリアンブルに対するＮＰＤＣＣＨ  ｏｒｄｅｒのためのＤＣＩフォーマットＮ１の設計
【０３５９】
特定のＤＣＩフォーマット（ＤＣＩ  ｆｏｒｍａｔ  Ｎ１）を使用したＮＰＤＣＣＨ  ｏｒｄｅｒでＲＡＣＨ手続を始める場合、既存のレガシープリアンブル以外に新しいプリアンブルのフォーマットであるフォーマット２を使用するプリアンブルである新しいプリアンブルが使用できる。
【０３６０】
この場合、基地局は端末に割り当て（又は設定）られたプリアンブルのプリアンブルフォーマットに従って、ＮＰＤＣＣＨのＤＣＩフィールドを異なって設定して端末に送信することができる。
【０３６１】
具体的に、プリアンブルフォーマットによってプリアンブルの送信のための副搬送波間隔等が変わる場合、基地局は端末が送信すべきプリアンブルのプリアンブルフォーマット及びプリアンブルの送信のための副搬送波を知らせるべきである。
【０３６２】
例えば、基地局はＤＣＩに端末が送信すべきプリアンブルのプリアンブルフォーマットを指示する指示子及び副搬送波を指示するフィールドを含ませて端末に送信することができる。
【０３６３】
この際、指示子は、プリアンブルフォーマットが０又は１である場合、「０」の値を有することができ、プリアンブルフォーマットが２である場合、「１」の値を有することができる。
【０３６４】
プリアンブルフォーマット０又は１は、前記で見た通り、３．７５ｋＨｚの副搬送波間隔を有することができ、プリアンブルフォーマット２（ＦＤＤ  ＮＰＲＡＣＨ  ｆｏｒｍａｔ  ２）は１．２５ｋＨｚの副搬送波間隔を有することができる。
【０３６５】
以下、プリアンブルフォーマットが０又は１であるプリアンブルを第１のプリアンブル（又は、レガシープリアンブル（ｌｅｇａｃｙ  ｐｒｅａｍｂｌｅ））、プリアンブルフォーマットが２であるプリアンブルを第２のプリアンブル（又は、向上したプリアンブル（ｅｎｈａｎｃｅｄ  ｐｒｅａｍｂｌｅ））という。
【０３６６】
第２のプリアンブルのためのＮＰＲＡＣＨ資源は、第１のプリアンブルのためのＮＰＲＡＣＨ資源とオーバーラップされてもよく、オーバーラップされなくてもよい。
【０３６７】
従って、同一の搬送波に同一のＣＥレベルを有し、オーバーラップされない第１のプリアンブルのためのＮＰＲＡＣＨ資源と第２のプリアンブルのためのＮＰＲＡＣＨ資源が各々存在し得る。
【０３６８】
この場合、基地局は、端末がＮＰＤＣＣＨ  ｏｒｄｅｒを介して第１のプリアンブルを送信するか、第２のプリアンブルを送信するかに対して指示する必要がある。
【０３６９】
従って、ＮＰＤＣＣＨ  ｏｒｄｅｒのためのＤＣＩ  ｆｏｒｍａｔ  Ｎ１は、端末が送信すべきプリアンブルを指示するｋビットのサイズを有する（例えば、１ビット）フィールドを含むことができる。
【０３７０】
即ち、基地局は、ＮＰＤＣＣＨ  ｏｒｄｅｒに基づいてＲＡＣＨ手続が始まる場合、ＮＰＤＣＣＨを介して送信されるＤＣＩに端末が送信すべきプリアンブルのフォーマットを示す指示子を含ませて送信することができる。
【０３７１】
下記の表１７は、ＤＣＩ  ｆｏｒｍａｔ  Ｎ１の一例を示す。
【０３７２】
【表１７】
0006989708.tif 000061
【０３７３】
表１７のように、ＤＣＩ  ｆｏｒｍａｔ  Ｎ１の長さは、計２４ビットで構成されることができ、端末のブラインドデコーディングの回数を増加させないために、残りのビットである１０ビットは、いずれも「１」に設定されることができる。
【０３７４】
表１７で、Ｆｌａｇ  ｆｏｒ  ｆｏｒｍａｔ  Ｎ０／ｆｏｒｍａｔ  Ｎ１  ｄｉｆｆｅｒｅｎｔｉａｔｉｏｎは、ＤＣＩのフォーマットを示すフラグであり、Ｓｔａｒｔｉｎｇ  ｎｕｍｂｅｒ  ｏｆ  ＮＰＲＡＣＨ  ｒｅｐｅｔｉｔｉｏｎｓは、任意接続手続繰り返しの開始番号に関する開始番号の情報を意味する。
【０３７５】
また、Ｃａｒｒｉｅｒ  ｉｎｄｉｃａｔｉｏｎ  ｏｆ  ＮＰＲＡＣＨは、プリアンブルの送信のための搬送波に関する情報である。
【０３７６】
残りの１０ビットのうちの１ビットを、前記で説明したＮＰＤＣＣＨ  ｏｒｄｅｒのためのＤＣＩ  ｆｏｒｍａｔ  Ｎ１は端末が送信すべきであるプリアンブルを指示する指示子に設定する場合、９ビットが「１」に設定され、ＮＰＤＣＣＨを介して端末に送信されるＤＣＩは２４ビットの長さを維持することができる。
【０３７７】
この際、端末が送信すべきプリアンブルを指示する指示子は、プリアンブルフォーマット指示子（ｐｒｅａｍｂｌｅ  ｆｏｒｍａｔ  ｉｎｄｉｃａｔｏｒ）又はＦＤＤ  ＮＰＲＡＣＨフォーマット指示子フィールド（ＦＤＤ  ＮＰＲＡＣＨ  ｆｏｒｍａｔ  ｉｎｄｉｃａｔｉｏｎ  ｆｉｅｌｄ）と呼ばれ得る。
【０３７８】
端末は基地局からＤＣＩを受信すると、ＲＡＣＨ手続を行うために、プリアンブルフォーマット指示子に従って指示されたフォーマットのプリアンブルを基地局に送信し、基地局は端末にこれに対する応答として応答メッセージを送信することができる。
【０３７９】
この際、同一の搬送波と同一のＣＥレベルに第２のプリアンブルのためのＮＰＲＡＣＨ資源と第１のプリアンブルのためのＮＰＲＡＣＨ資源のうち一つのみ構成された場合にも、プリアンブルフォーマット指示子が全ての端末に送信されるＤＣＩに全て含まれる場合、端末はプリアンブルフォーマット指示子の値は無視するように設定されるか、プリアンブルフォーマット指示子の値が特定値（０又は１）に固定されて送信されることを事前に認識するように設定されることができる。
【０３８０】
また、ＮＰＤＣＣＨ  ｏｒｄｅｒによるＲＡＣＨの開始のためのＤＣＩ  ｆｏｒｍａｔ  Ｎ１にプリアンブルフォーマットを指示する明示的なフィールドが含まれており、ＤＣＩを介して指示された特定のＣＥレベルと特定の搬送波に第１のプリアンブル資源と第２のプリアンブル資源のうち一つのみ設定されているにもかかわらず、プリアンブルフォーマットを指示する明示的なフィールドによって指示された値が異なると、端末は該当ＮＰＤＣＣＨ  ｏｒｄｅｒは有効ではないと判断することができる。
【０３８１】
或いは、プリアンブルフォーマットを指示する明示的なフィールドの値を無視し、特定のＣＥレベルと特定の搬送波に存在するプリアンブル資源を選択してプリアンブルを送信することができる。
【０３８２】
この際、プリアンブルフォーマット指示子は基地局及び／又は端末がプリアンブルフォーマット２を支援する場合、ＤＣＩに含まれることができる。
【０３８３】
即ち、基地局が上位層のシグナリング（例えば、ＲＲＣ  ｓｉｇｎａｌｌｉｎｇ）を介して基地局がプリアンブルフォーマット２を支援するということを端末に知らせた場合にのみ、プリアンブルフォーマット指示子がＤＣＩに含まれて端末に送信されることができる。
【０３８４】
このような方法は、基地局の自由度を高めることができる。
【０３８５】
本発明のまた別の実施例として、ＮＰＤＣＣＨ  ｏｒｄｅｒによって開始されるＲＡＣＨ手続でプリアンブルフォーマット０又は１以外にプリアンブルフォーマット２が使用される場合、副搬送波を示すフィールドのサイズがプリアンブルフォーマットに従って変更され得る。
【０３８６】
具体的に、同一の搬送波と同一のＣＥレベルを使用する第２のプリアンブルのためのＮＰＲＡＣＨ資源と第１のプリアンブルのためのＮＰＲＡＣＨ資源がオーバーラップされる場合、計使用するＲＡＰＩＤの個数が６４個を超えなければ、ＮＰＤＣＣＨ  ｏｒｄｅｒによるＲＡＣＨ手続の開始のためのＤＣＩ  ｆｏｒｍａｔ  Ｎ１に更なるフィールドが設定されない。
【０３８７】
即ち、第１のプリアンブルのためのＲＡＰＩＤが０からＫ−１までＫ個に設定され、第２のプリアンブルのためのＲＡＰＩＤがＫから６３まで設定されると、表１７でＲＡＣＨ手続のためのプリアンブルを送信するための副搬送波に関する情報である「ＮＰＲＡＣＨの副搬送波指示子（ｓｕｂｃａｒｒｉｅｒ  ｉｎｄｉｃａｔｉｏｎ  ｏｆ  ＮＰＲＡＣＨ）」フィールドの６ビットだけでもプリアンブルの種類を区別することができる。
【０３８８】
この際、ＮＰＲＡＣＨの副搬送波指示子フィールドは、副搬送波指示子フィールドと呼ばれ得る。
【０３８９】
この場合、副搬送波指示子フィールドで既存に第１のプリアンブルのために使用していた状態（例えば、６４個のうち０から４７）とｒｅｓｅｒｖｅｄされていた状態（例えば、６４個のうち４８から６３）まで全て使用し、第１のプリアンブルと第２のプリアンブルが区別できる。
【０３９０】
もし、副搬送波指示子フィールドだけでもプリアンブルの種類を区別することができる場合にも、前記で説明したプリアンブルフォーマット指示子が全ての端末のＤＣＩに共通して含まれると、端末はプリアンブルフォーマット指示子の値は無視するか、特定値（０又は１）に固定されて送信されると分かる。
【０３９１】
しかし、第２のプリアンブルの送信のためのＮＰＲＡＣＨ資源と第１のプリアンブルの送信のためのＮＰＲＡＣＨ資源がオーバーラップされるか否かと関係なく、特定のＮＰＲＡＣＨ資源で支援するＲＡＰＩＤの総個数が６４個よりも大きい場合、ＮＰＤＣＣＨ  ｏｒｄｅｒのためのＤＣＩ  ｆｏｒｍａｔ  Ｎ１で副搬送波指示子フィールドのビット数が増加する必要がある。
【０３９２】
即ち、プリアンブルのフォーマットによる副搬送波間隔のサイズが小さくなるに従って、副搬送波指示子フィールドのビット数は同一又は増加し得る。
【０３９３】
例えば、プリアンブルフォーマット０／１は、副搬送波間隔が３．７５ｋＨｚであるため、プリアンブルのＲＡＰＩＤの個数の最大値は４８であった。即ち、１ＲＢ（１８０ｋＨｚ）でプリアンブルの送信のために計４８個の副搬送波が設定でき、端末は基地局のＤＣＩに副搬送波指示子フィールドにより指示された副搬送波を介してプリアンブルを基地局に送信することができる。
【０３９４】
従って、プリアンブルフォーマットが０／１である場合、副搬送波指示子はプリアンブルを送信するための副搬送波を示すために、６ビットのサイズのみ必要である（６ビットの場合、最大６４個のＲＡＰＩＤを示すことができる）。
【０３９５】
しかし、プリアンブルフォーマットが２である場合には、副搬送波間隔が１．２５ｋＨｚであるため、プリアンブルのＲＡＰＩＤの個数の最大値は１４４になる。即ち、１ＲＢ（１８０ｋＨｚ）でプリアンブルの送信のためには計１４４個の副搬送波が設定されるべきである。
【０３９６】
従って、プリアンブルフォーマットが２である場合、副搬送波指示子はプリアンブルを送信するための副搬送波を示すために、最小８ビットのサイズが必要である。
【０３９７】
即ち、許容されるＲＡＰＩＤの総個数をＲＡＰＩＤＭＡＸというとき、副搬送波指示子フィールドのサイズは下記数式6によって決定されることができる。
【０３９８】
【数６】
0006989708.tif 000062
【０３９９】
数式6により、ＲＡＰＩＤＭＡＸが６４よりも大きく、１２８個を超えなければ、副搬送波指示子フィールドのビット数は７ビットで構成されることができ、ＲＡＰＩＤＭＡＸが１２８よりも大きく、２５６個を超えなければ、副搬送波指示子フィールドのビット数は８ビットで構成されることができる。
【０４００】
もし、Ｒ個の更なるビットフィールドが必要な場合、ＲはＤＣＩの全長（２４ｂｉｔ）を考慮し、最大１０ビットを超えることができず、残りのビットである１０−Ｒ  ｂｉｔは、前記で説明した通り「１」に設定され、ＤＣＩフィールドの全長は２４ビットになることができる。
【０４０１】
また、ＮＰＤＣＣＨ  ｏｒｄｅｒのためのＤＣＩ  ｆｏｒｍａｔ  Ｎ１にシンボルレベルスクランブリング（ｓｙｍｂｏｌ  ｌｅｖｅｌ  ｓｃｒａｍｂｌｉｎｇ）又はシンボルグループレベルスクランブリング（ｓｙｍｂｏｌ  ｇｒｏｕｐ  ｌｅｖｅｌ  ｓｃｒａｍｂｌｉｎｇ）をするように指示する１ビットの追加フィールドがさらに含まれることができる。これは、基地局の必要に応じて、第１のプリアンブルのためのＮＰＲＡＣＨ資源を指示する場合にも、事前に知っている方法で定義されたシンボルレベルスクランブリング又はシンボルグループレベルスクランブリングを行うように、ＤＣＩを介して基地局が端末に指示することができる。
【０４０２】
このような方法は、隣接セルとの境界に位置している端末であると基地局が判断した場合に、該当端末が送信するプリアンブルの信頼性を向上させることができる。
【０４０３】
また、第２のプリアンブルは、シンボルレベルスクランブリング又はシンボルグループレベルスクランブリングが含まれたプリアンブルであってもよく、１．２５ｋＨｚの副搬送波間隔を支援するＦＤＤ  ＮＰＲＡＣＨフォーマット２であってもよい。
【０４０４】
前記で説明したフィールドは、重複して必要であるかもしれない。例えば、同一の搬送波に同一のＣＥレベルを有し、オーバーラップされない第１のプリアンブルのためのＮＰＲＡＣＨ資源と第２のプリアンブルのためのＮＰＲＡＣＨ資源が各々存在し、第２のプリアンブルのためのＮＰＲＡＣＨ資源に許容されるＲＡＰＩＤの最大値が１４４個である場合、副搬送波指示子は、６ビットで２ビットがさらに必要な８ビットになり、プリアンブルフォーマットを指示するためのプリアンブルフォーマット指示子が必要である。
【０４０５】
この場合、残りの１０ビットで３ビットがさらに必要であるため、７ビットのみいずれも「１」の値に設定されることができる。
【０４０６】
本発明のまた別の実施例として、ＮＰＤＣＣＨ  ｏｒｄｅｒのためのＤＣＩ  ｆｏｒｍａｔ  Ｎ１にプリアンブルフォーマットを指示するプリアンブルフォーマット指示子フィールドが追加されないことがある。
【０４０７】
具体的に、ＮＰＤＣＣＨ  ｏｒｄｅｒのためのＤＣＩ  ｆｏｒｍａｔ  Ｎ１を介して指示された特定のＣＥレベルと、特定の搬送波に第１のプリアンブル資源と第２のプリアンブル資源とがいずれも存在する場合、該当端末は、すぐ直前にＲＡＣＨ手続で成功したプリアンブルフォーマットに該当する資源を選択してプリアンブルを送信することができる。
【０４０８】
即ち、端末が接続モード（ｃｏｎｎｅｃｔｅｄ  ｍｏｄｅ）である場合、ＲＡＣＨ手続を成功的に行った経験があるため、端末は事前に成功的に行ったＲＡＣＨ手続に基づいて、プリアンブルフォーマットに該当する資源を選択してプリアンブルを送信することができる。
【０４０９】
このような方法を通じて、ＮＰＤＣＣＨ  ｏｒｄｅｒのためのＤＣＩ  ｆｏｒｍａｔ  Ｎ１にプリアンブルフォーマットを指示するための更なるフィールドを構成しなくてもよい。
【０４１０】
本発明のまた別の実施例として、ＮＰＤＣＣＨ  ｏｒｄｅｒのためのＤＣＩ  ｆｏｒｍａｔ  Ｎ１を介して指示された特定のＣＥレベルと特定の搬送波に第１のプリアンブル資源と第２のプリアンブル資源のうち一つのみ設定される場合、端末は以前に成功的に行ったＲＡＣＨ手続のプリアンブルと関係なく、該当ＣＥレベルと該当搬送波に存在するプリアンブル資源を選択してプリアンブルを送信することができる。
【０４１１】
このような方法は、ＮＰＤＣＣＨ  ｏｒｄｅｒのためのＤＣＩ  ｆｏｒｍａｔ  Ｎ１にプリアンブルフォーマットを指示するプリアンブルフォーマット指示子を更に含ませなくてもよく、基地局の自由度を高めることができるという効果がある。
【０４１２】
本発明のまた別の実施例として、ＮＰＤＣＣＨ  ｏｒｄｅｒのためのＤＣＩ  ｆｏｒｍａｔ  Ｎ１を介して指示された特定のＣＥレベルと特定の搬送波に第１のプリアンブル資源と第２のプリアンブル資源のうち一つのみ設定され、該当特定のＣＥレベルと特定の搬送波に構成されている資源に該当するプリアンブルが、端末が直前に成功的に行ったＲＡＣＨ手続のプリアンブルと異なる場合、端末は該当ＮＰＤＣＣＨ  ｏｒｄｅｒは有効ではないと判断することができる。
【０４１３】
このような方法は、基地局は既に該当端末が直前に成功的に行ったＲＡＣＨ手続を介して送信したプリアンブルを認識しているため、これと異なるプリアンブルを送信するように指示しないことを端末は予想できるためである。
【０４１４】
本発明のまた別の実施例として、ＮＰＤＣＣＨ  ｏｒｄｅｒのためのＤＣＩ  ｆｏｒｍａｔ  Ｎ１を受信すると、該当ＤＣＩを介して指示された特定のＣＥレベルと特定の搬送波に存在するプリアンブル資源のうち、時間上で真っ先に示されることを選択し、端末はプリアンブルを送信することができる。
【０４１５】
この際、同一のＣＥレベル、同一の搬送波上に第１のプリアンブル資源と第２のプリアンブル資源とが各々独立に設定され、各資源別に使用するＲＡＰＩＤ値が６４を超えなくてもよい。
【０４１６】
例えば、ＮＰＤＣＣＨ  ｏｒｄｅｒに指示されたＲＡＰＩＤ値が０から４７のうち一つであれば、該当ＤＣＩを介して指示された特定のＣＥの特定のＣＥレベルと特定の搬送波に存在するプリアンブル資源のうち、時間上で真っ先に示す資源を選択し、端末はプリアンブルを送信することができる。
【０４１７】
この際、端末はＮＰＤＣＣＨ  ｏｒｄｅｒに指示されたＲＡＰＩＤ値が４８から６３のうち一つであれば、第２のプリアンブル資源を選択してプリアンブルを送信することができる。
【０４１８】
本発明のまた別の実施例として、ＣＥレベルに従って、互いに異なるＦＤＤ  ＮＰＲＡＣＨ  ｆｏｒｍａｔがＳＩＢ（例えば、ＳＩＢ  ２又はＳＩＢ  ２２）を介して設定されることができる。
【０４１９】
この場合、ＮＰＤＣＣＨ  ｏｒｄｅｒのためのＤＣＩ  ｆｏｒｍａｔ  Ｎ１の「Ｓｔａｒｔｉｎｇ  ｎｕｍｂｅｒ  ｏｆ  ＮＰＲＡＣＨ  ｒｅｐｅｔｉｔｉｏｎｓ」フィールドを用いて暗示的にプリアンブルフォーマットが端末に指示されることができる。
【０４２０】
即ち、ＳＩＢに事前にＣＥレベルとＮＰＲＡＣＨフォーマットをマッチングさせておき、ＮＰＤＣＣＨ  ｏｒｄｅｒはＣＥレベルのみを端末に指示することによって、これにマッチングされるプリアンブルフォーマットを端末は認識することができる。
【０４２１】
各ＣＥレベル別に設定された（又はマッチングされた）ＦＤＤ  ＮＰＲＡＣＨ  ｆｏｒｍａｔは、実際のシステム情報（例えば、ＳＩＢ、ＲＲＣ）を解釈する端末によって互いに異なって設定されることができる。
【０４２２】
例えば、端末の設定（例えば、Ｒｅｌｅａｓｅによる端末）によって、プリアンブルフォーマット２を支援しない端末には全てのＣＥレベル（例えば、ＣＥレベル０、１、２）のためにＦＤＤ  ＮＰＲＡＣＨ  ｆｏｒｍａｔ  １を使用するように、ＣＥレベルとＦＤＤ  ＮＰＲＡＣＨ  ｆｏｒｍａｔとがマッチングされるように基地局は設定することができる。
【０４２３】
しかし、プリアンブルフォーマット２を支援する端末にはＣＥレベル０及び１は、ＦＤＤ  ＮＰＲＡＣＨ  ｆｏｒｍａｔ  １を使用し、ＣＥレベル２は、ＦＤＤ  ＮＰＲＡＣＨ  ｆｏｒｍａｔ  ２を使用するように、基地局はＣＥレベルとＦＤＤ  ＮＰＲＡＣＨ  ｆｏｒｍａｔとをマッチングさせることができる。
【０４２４】
この場合、端末がＦＤＤ  ＮＰＲＡＣＨ  ｆｏｒｍａｔ  ２を支援しなければ、端末はＮＰＤＣＣＨ  ｏｒｄｅｒを介してＣＥレベル２の指示を受けると、ＦＤＤ  ＮＰＲＡＣＨ  ｆｏｒｍａｔ  １を用いてＲＡＣＨ手続を行うことができる。
【０４２５】
しかし、端末がＦＤＤ  ＮＰＲＡＣＨ  ｆｏｒｍａｔ  ２を支援すると、端末はＮＰＤＣＣＨ  ｏｒｄｅｒを介してＣＥレベル２の指示を受けると、ＦＤＤ  ＮＰＲＡＣＨ  ｆｏｒｍａｔ  ２を用いてＲＡＣＨ手続を行うことができる。
【０４２６】
このような方法を用いると、ＮＰＤＣＣＨ  ｏｒｄｅｒのためのＤＣＩ  ｆｏｒｍａｔ  Ｎ１にプリアンブルフォーマットを指示するために、別途の指示子を追加しなくてもよい。
【０４２７】
専用スケジューリング要請のためのＮＰＲＡＣＨ資源
【０４２８】
送信スケジューリング要請（Ｄｅｄｉｃａｔｅｄ  ｓｃｈｅｄｕｌｉｎｇ  ｒｅｑｕｅｓｔ：ＳＲ）のためにＮＰＲＡＣＨ資源が使用される場合、下記のような方法が適用できる。
【０４２９】
第一に、ＮＰＲＡＣＨ資源のうち一つ又は複数個の搬送波を専用ＳＲに指定する場合、特定の開始の搬送波を用いて送信できる専用ＳＲ資源を１つ以上の端末のためにＴＤＭ方式を通じて多重化できる。
【０４３０】
具体的に、専用ＳＲを送信することができるＮＰＲＡＣＨ資源はＳＩＢを介して事前にプリアンブルの繰り返し回数が決定されている。しかし、専用ＳＲを送信するための端末は、既に接続モード（ｃｏｎｎｅｃｔｅｄ  ｍｏｄｅ）で動作しており、該当ＮＰＲＡＣＨ資源に該当するプリアンブルの繰り返し回数だけ繰り返してプリアンブルが送信されなくても、基地局は該当専用ＳＲを受信することができる。
【０４３１】
従って、基地局は専用ＳＲのためのＲＲＣ  ｓｉｇｎａｌｉｎｇを介して、特定のＮＰＲＡＣＨ資源（例えば、搬送波、ＣＥレベル）等を端末に知らせることができる。
【０４３２】
この場合、特定のスケーリング因子のセットが標準に指定されていることがあり、実際に使用されるスケーリング因子の値と実際のＳＲを送信するタイミングインデックス（例えば、スケーリング因子に基づく送信インデックス等）をＲＲＣ  ｓｉｇｎａｌｌｉｎｇを介して端末に送信されることができる。
【０４３３】
この際、スケーリング因子の値がＮＰＲＡＣＨ資源に特定されるか、端末に特定されるように設定されることができる。
【０４３４】
もし、端末に特定されるか、スケーリング因子の値が設定される場合、基地局は他の端末のＳＲ資源と重ならないように資源を割り当てるべきである。
【０４３５】
例えば、端末は設定された搬送波とＣＥレベルに該当するＮＰＲＡＣＨの繰り返し回数が１２８であり、標準に定義されたスケーリング因子のセットが｛０、１／２、１／４、１／８、１／１６、１／３２、…｝のような場合、実際のスケーリング因子の値が１／８に設定され、ＳＲ送信のためのタイミングインデックスが１に設定されることができる。
【０４３６】
この場合、端末はＮＰＲＡＣＨ資源の特定の副搬送波のインデックスに該当する単一トーン資源のうち、１６（１２８／８）番目のプリアンブルが送信される瞬間から１６回だけＳＲ送信を繰り返して送信することができる。
【０４３７】
このような方法を用いる場合、特定の副搬送波のインデックスに該当するＳＲのための単一トーン資源をＴＤＭ方式を介して多重化して複数の端末に割り当てることができるため、専用ＳＲ  ｃａｐａｃｉｔｙが充分に確保できるという効果がある。
【０４３８】
第二に、前記と類似するが、基地局は送信ＳＲのためのＲＲＣシグナリングを介して、特定のＮＰＲＡＣＨ資源（例えば、搬送波、ＣＥレベル）等を端末に知らせるとともに、ＳＲ送信タイミングオフセットの情報と実際のＳＲのための繰り返し回数を知らせることができる。
【０４３９】
例えば、端末は設定された搬送波とＣＥレベルに対応するＮＰＲＡＣＨの繰り返し回数が１２８である場合、基地局は特定の端末にＳＲの繰り返し回数を３２に設定し、送信タイミングオフセットを１６（単一トーンプリアンブルの長さ）に設定することができる。
【０４４０】
この場合、特定の端末は、該当ＮＰＲＡＣＨ資源の特定の副搬送波のインデックスに該当する単一トーン資源のうち、１６番目のプリアンブルが送信される瞬間から３２回だけＳＲ送信を繰り返して送信することができる。
【０４４１】
このような方法を用いると、基地局が完全動的に特定の副搬送波のインデックスに該当するＳＲのための単一トーン資源をＴＤＭ方式を介して多重化し、複数の端末に割り当てることができるため、専用ＳＲ  ｃａｐａｃｉｔｙが充分に確保でき、専用ＳＲが必要な複数の端末に独立した繰り返し回数を割り当てることができるという効果がある。
【０４４２】
本発明のまた別の実施例として、専用ＳＲを送信することができるＮＰＲＡＣＨ資源のプリアンブルの繰り返し回数に対して端末が設定されたＳＲ送信の繰り返し回数が小さい場合、端末はＮＰＲＡＣＨ資源内の時間軸上の送信開始の位置を介して特定の情報を伝達することができる。
【０４４３】
この際、時間軸上の送信開始の位置は、繰り返し送信される各プリアンブルを一番目のシンボルグループが送信される位置のうち一つであるか、毎シンボルグループが送信できる位置のうち一つであり得る。
【０４４４】
また、特定の情報は、ＢＳＲ（ｂｕｆｆｅｒ  ｓｔａｔｅ  ｒｅｐｏｒｔ）を含むことができる。
【０４４５】
例えば、設定された搬送波とＣＥレベルに対応するＮＰＲＡＣＨの繰り返し回数が１２８であり、ＳＲ送信の繰り返し回数が３２である場合、少なくは４（１２８／３２）の互いに異なる情報のうち一つを送信することができ、多くは９６（１２８−３２）の互いに異なる情報のうち一つを、端末は送信することができる。
【０４４６】
このような方法を用いる場合、ＮＰＲＡＣＨのプリアンブルに更なるシーケンスでスクランブリングをしなくても、更なる情報を端末は送信することができる。
【０４４７】
図１５は、本明細書で提案する方法が適用できる端末が任意接続プリアンブルを送信する方法の一例を示す図である。
【０４４８】
図１５を参照すると、端末はＮＰＤＣＣＨ  ｏｒｄｅｒによってＲＡＣＨ手続を始める場合、ＤＣＩに基づいてプリアンブルフォーマットを選択してプリアンブルを基地局に送信することができる。
【０４４９】
以下、端末はプリアンブルフォーマット２を支援すると仮定する。
【０４５０】
具体的に、まず、端末は基地局から送信される上位層のシグナリングを介して基地局がプリアンブルフォーマット２を支援する可否を認識することができる。
【０４５１】
例えば、端末は上位層のシグナリング（例えば、ＳＩＢ等）を介して送信されるＣＥレベルでＮＰＲＡＣＨフォーマット２を送信するための資源の割り当て可否を介して、基地局がプリアンブルフォーマット２を支援するか否かを認識することができる。
【０４５２】
以降、端末は基地局からＮＰＤＣＣＨ  ｏｒｄｅｒを介したＲＡＣＨ手続を行うために、ＤＣＩを含むＮＰＤＣＣＨを受信することができる（Ｓ１５０１０）。
【０４５３】
この際、ＤＣＩのフォーマットは、表１７及び前記で説明したことと同一のフォーマットで構成されることができる。
【０４５４】
具体的に、ＤＣＩは端末が送信すべき（又は端末に割り当てられた）プリアンブルのフォーマットがフォーマット０／１であるか、フォーマット２であるか否かを指示するプリアンブルフォーマット指示子、プリアンブルを送信するための副搬送波（Ｓｕｂｃａｒｒｉｅｒ）に関する情報である副搬送波指示子、ＤＣＩのフォーマットを示すフラグ、任意接続手続繰り返しの開始番号に関する開始番号の情報、及び／又はプリアンブルの送信のための搬送波に関する搬送波指示子のうち少なくとも一つを含むことができる。
【０４５５】
ＮＰＤＣＣＨ  ｏｒｄｅｒにより開始されるＲＡＣＨ手続のためのＤＣＩのビット数は２４ビットであってもよく、設定されたフィールド以外の残りのビットは、端末のブラインドデコーディングの回数を減らすために、「１」の値に設定されることができる。
【０４５６】
端末はＤＣＩのプリアンブルフォーマット指示子を介して、端末が送信すべきプリアンブルのフォーマットを認識することができる。
【０４５７】
例えば、プリアンブルフォーマット指示子フィールドのビット値が「０」である場合、プリアンブルフォーマット０／１を指示し、「１」である場合は、プリアンブルフォーマット２を指示する。
【０４５８】
プリアンブルフォーマット０／１は、前記で説明した通り、３．７５ｋＨｚの副搬送波間隔を有することができ、最大４８個のＲＡＰＩＤが設定できる。
【０４５９】
プリアンブルフォーマット２は、前記で説明した通り、１．２５ｋＨｚの副搬送波間隔を有することができ、最大１４４個のＲＡＩＩＤが設定できる。
【０４６０】
ＤＣＩの副搬送波指示子フィールドは、端末のプリアンブルの送信のために割り当てられた副搬送波を示し、プリアンブルフォーマット指示子の値により、フィールドのビット数が変わり得る。
【０４６１】
即ち、プリアンブルフォーマット指示子によって指示されたプリアンブルフォーマットの副搬送波間隔が小さくなると、プリアンブルフォーマット指示子フィールドのビット数は同一又は増加し得る。
【０４６２】
この際、プリアンブルフォーマット指示子のビット数は、数式４によって決定できる。
【０４６３】
例えば、プリアンブルフォーマットが０／１である場合、ＲＡＰＩＤは最大４８個であるので、プリアンブルを送信するための副搬送波の個数は最大４８個になる。従って、プリアンブルフォーマット指示子は、４８個の副搬送波を各々示すために、６ビットになることができる。
【０４６４】
しかし、プリアンブルフォーマットが２である場合、ＲＡＰＩＤは最大１４４個であるので、プリアンブルを送信するための副搬送波の個数は最大１４４個になる。従って、プリアンブルフォーマット指示子は、１４４個の副搬送波を各々示すために、８ビットになることができる。
【０４６５】
以降、端末はＤＣＩにより指示されたプリアンブルフォーマットによって端末に割り当てられた副搬送波でプリアンブルを基地局に送信することができる（Ｓ１５０２０）。
【０４６６】
例えば、端末はＤＣＩを介して指示されたプリアンブルフォーマット０／１である場合、プリアンブルフォーマット０／１であるプリアンブル（第１のプリアンブル）を基地局に送信し、プリアンブルフォーマット２である場合、プリアンブルフォーマット２であるプリアンブル（第２のプリアンブル）を基地局に送信することができる。
【０４６７】
以降、端末は基地局からプリアンブルに対する応答として任意接続応答メッセージを受信することができる（Ｓ１５０３０）。
【０４６８】
以降、ＲＡＣＨ手続が競合ベースのＲＡＣＨであるか否かによって、端末は各々該当する手続を行うことができる。
【０４６９】
このような方法を通じて、互いに異なる副搬送波間隔を有するプリアンブルフォーマットが設定される場合、端末は自身が送信すべきプリアンブルがどんなプリアンブルフォーマットであるか認識することができ、プリアンブルフォーマットによってＤＣＩフォーマットの特定のフィールドのビット数が変更されることによって、効率的にプリアンブルの送信のための副搬送波を割り当てることができる。
【０４７０】
これに関して、前述した端末の動作は、本明細書の図１７及び図１８に示す端末装置１７２０、１８２０によって具体的に実現されることができる。例えば、前述した端末の動作は、プロセッサ１７２１、１８２１及び／又はＲＦユニット（又はモジュール）１７２３、１８２５によって行われることができる。
【０４７１】
具体的に、プロセッサ１７２１、１８２１は、基地局から送信される上位層のシグナリングを介して、基地局がプリアンブルフォーマット２を支援する可否を認識することができる。
【０４７２】
例えば、プロセッサ１７２１、１８２１は、上位層のシグナリング（例えば、ＳＩＢ等）を介して送信されるＣＥレベルでＮＰＲＡＣＨのフォーマット２を送信するための資源の割り当て可否を通じて、基地局がプリアンブルフォーマット２を支援するか否かを認識することができる。
【０４７３】
また、プロセッサ１７２１、１8２１は、ＲＦユニット（又はモジュール）１７２３、１８２５を介して基地局からＮＰＤＣＣＨ  ｏｒｄｅｒを介したＲＡＣＨ手続を行うために、ＤＣＩを含むＮＰＤＣＣＨを受信するように制御することができる。
【０４７４】
この際、ＤＣＩのフォーマットは、表１７及び前記で説明したことと同一のフォーマットで構成されることができる。
【０４７５】
具体的に、ＤＣＩは端末が送信すべき（又は端末に割り当てられた）プリアンブルのフォーマットがフォーマット０／１であるか、フォーマット２であるか否かを指示するプリアンブルフォーマット指示子、プリアンブルを送信するための副搬送波（Ｓｕｂｃａｒｒｉｅｒ）に関する情報である副搬送波指示子、ＤＣＩのフォーマットを示すフラグ、任意接続手続繰り返しの開始番号に関する開始番号の情報、及び／又はプリアンブルの送信のための搬送波に関する搬送波指示子のうち少なくとも一つを含むことができる。
【０４７６】
ＮＰＤＣＣＨ  ｏｒｄｅｒにより開始されるＲＡＣＨ手続のためのＤＣＩのビット数は２４ビットであってもよく、設定されたフィールド以外の残りのビットは、端末のブラインドデコーディングの回数を減らすために、「１」の値に設定されることができる。
【０４７７】
端末は、ＤＣＩのプリアンブルフォーマット指示子を介して端末が送信すべできプリアンブルのフォーマットを認識することができる。
【０４７８】
例えば、プリアンブルフォーマット指示子フィールドのビット値が「０」である場合、プリアンブルフォーマット０／１を指示し、「１」である場合は、プリアンブルフォーマット２を指示する。
【０４７９】
プリアンブルフォーマット０／１は、前記で説明した通り、３．７５ｋＨｚの副搬送波間隔を有することができ、最大４８個のＲＡＰＩＤが設定できる。
【０４８０】
プリアンブルフォーマット２は、前記で説明した通り、１．２５ｋＨｚの副搬送波間隔を有することができ、最大１４４個のＲＡＩＩＤが設定できる。
【０４８１】
ＤＣＩの副搬送波指示子フィールドは、端末のプリアンブルの送信のために割り当てられた副搬送を示し、プリアンブルフォーマット指示子の値によってフィールドのビット数が変わり得る。
【０４８２】
即ち、プリアンブルフォーマット指示子によって指示されたプリアンブルフォーマットの副搬送波間隔が小さくなると、プリアンブルフォーマット指示子フィールドのビット数は同一又は増加し得る。
【０４８３】
この際、プリアンブルフォーマット指示子のビット数は数式４によって決定されることができる。
【０４８４】
例えば、プリアンブルフォーマットが０／１である場合、ＲＡＰＩＤは最大４８個であるので、プリアンブルを送信するための副搬送波の個数は最大４８個になる。従って、プリアンブルフォーマット指示子は、４８個の副搬送波を各々示すために、６ビットになることができる。
【０４８５】
しかし、プリアンブルフォーマットが２である場合、ＲＡＰＩＤは最大１４４個であるので、プリアンブルを送信するための副搬送波の個数は最大１４４個になる。従って、プリアンブルフォーマット指示子は１４４個の副搬送波を各々示すために、８ビットになることができる。
【０４８６】
以降、プロセッサ１８２１、１９２１は、ＲＦユニット（又はモジュール）１７２３、１８２５を介してＤＣＩによって指示されたプリアンブルフォーマットによって端末に割り当てられた副搬送波で基地局にプリアンブルを送信するように制御することができる。
【０４８７】
例えば、プロセッサ１８２１、１９２１は、ＲＦユニット（又はモジュール）１７２３、１８２５を介してＤＣＩに基づいて指示されたプリアンブルフォーマット０／１である場合、プリアンブルフォーマット０／１であるプリアンブル（第１のプリアンブル）を基地局に送信し、プリアンブルフォーマット２である場合、プリアンブルフォーマット２であるプリアンブル（第２のプリアンブル）を基地局に送信するように制御することができる。
【０４８８】
以降、プロセッサ１７２１、１８２１は、ＲＦユニット（又はモジュール）１７１３、１８１５を介して基地局からプリアンブルに対する応答として任意接続応答メッセージを受信するように制御することができ、ＲＡＣＨ手続が競合ベースのＲＡＣＨであるか否かによって、端末は各々該当する手続を行うように制御することができる。
【０４８９】
図１６は、本明細書で提案する方法が適用できる基地局が任意接続プリアンブルを受信する方法の一例を示す図である。
【０４９０】
図１６を参照すると、基地局はＮＰＤＣＣＨ  ｏｒｄｅｒによってＲＡＣＨ手続を始める場合、ＤＣＩを介して端末に端末が送信するプリアンブルのプリアンブルフォーマットを知らせることができる。
【０４９１】
具体的に、まず、基地局は端末に送信される上位層のシグナリングを介して、基地局がプリアンブルフォーマット２を支援する可否を知らせることができる。
【０４９２】
例えば、基地局は上位層のシグナリング（例えば、ＳＩＢ等）を介して送信されるＣＥレベルでＮＰＲＡＣＨのフォーマット２を送信するための資源の割り当て可否を介して、基地局がプリアンブルフォーマット２を支援するか否かを端末に知らせることができる。
【０４９３】
以降、基地局は端末にＮＰＤＣＣＨ  ｏｒｄｅｒを介したＲＡＣＨ手続を行うために、ダウンリンク制御情報（Ｄｏｗｎｌｉｎｋ  Ｃｏｎｔｒｏｌ  Ｉｎｆｏｒｍａｔｉｏｎ：ＤＣＩ）を含むダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）を送信することができる（Ｓ１６０１０）。
【０４９４】
この際、ＤＣＩのフォーマットは、表１７及び前記で説明したことと同一のフォーマットで構成されることができる。
【０４９５】
具体的に、ＤＣＩは、端末が送信すべき（又は端末に割り当てられた）プリアンブルのフォーマットがフォーマット０／１であるか、フォーマット２であるか否かを指示するプリアンブルフォーマット指示子、プリアンブルを送信するための副搬送波（Ｓｕｂｃａｒｒｉｅｒ）に関する情報である副搬送波指示子、ＤＣＩのフォーマットを示すフラグ、任意接続手続繰り返しの開始番号に関する開始番号の情報、及び／又はプリアンブルの送信のための搬送波に関する搬送波指示子のうち少なくとも一つを含むことができる。
【０４９６】
ＮＰＤＣＣＨ  ｏｒｄｅｒによって開始されるＲＡＣＨ手続のためのＤＣＩのビット数は２４ビットであってもよく、設定されたフィールド以外の残りのビットは、端末のブラインドデコーディングの回数を減らすために、「１」の値に設定されることができる。
【０４９７】
端末はＤＣＩのプリアンブルフォーマット指示子を介して端末が送信すべきプリアンブルのフォーマットを認識することができる。
【０４９８】
例えば、プリンブルフォーマット指示子フィールドのビット値が「０」である場合、プリアンブルフォーマット０／１を指示し、「１」である場合は、プリアンブルフォーマット２を指示する。
【０４９９】
プリアンブルフォーマット０／１は、前記で説明した通り、３．７５ｋＨｚの副搬送波間隔を有することができ、最大４８個のＲＡＰＩＤが設定できる。
【０５００】
プリアンブルフォーマット２は、前記で説明した通り、１．２５ｋＨｚの副搬送波間隔を有することができ、最大１４４個のＲＡＩＩＤが設定できる。
【０５０１】
ＤＣＩの副搬送波指示子フィールドは、端末のプリアンブルの送信のために割り当てられた副搬送波を示し、プリアンブルフォーマット指示子の値によってフィールドのビット数が変わり得る。
【０５０２】
即ち、プリアンブルフォーマット指示子によって指示されたプリアンブルフォーマットの副搬送波間隔が小さくなると、プリアンブルフォーマット指示子フィールドのビット数は同一又は増加し得る。
【０５０３】
この際、プリアンブルフォーマット指示子のビット数は、数式４によって決定されることができる。
【０５０４】
例えば、プリアンブルフォーマットが０／１である場合、ＲＡＰＩＤは最大４８個であるので、プリアンブルを送信するための副搬送波の個数は最大４８個になる。従って、プリアンブルフォーマット指示子は、４８個の副搬送波を各々示すために、６ビットになることができる。
【０５０５】
しかし、プリアンブルフォーマットが２である場合、ＲＡＰＩＤは最大１４４個であるので、プリアンブルを送信するための副搬送波の個数は最大１４４個になる。従って、プリアンブルフォーマット指示子は１４４個の副搬送波を各々示すために、８ビットにすることができる。
【０５０６】
以降、基地局はＤＣＩによって指示されたプリアンブルフォーマットによって端末に割り当てられた副搬送波で端末からプリアンブルを受信することができる（Ｓ１６０２０）。
【０５０７】
例えば、基地局はＤＣＩを介して指示されたプリアンブルフォーマット０／１である場合、プリアンブルフォーマット０／１であるプリアンブル（第１のプリアンブル）を端末から受信し、プリアンブルフォーマット２である場合、プリアンブルフォーマット２であるプリアンブル（第２のプリアンブル）を端末から受信することができる。
【０５０８】
以降、基地局は端末に任意接続プリアンブルに対する応答として任意継続応答を送信することができる（Ｓ１６０３０）。
【０５０９】
以降、ＲＡＣＨ手続が競合ベースのＲＡＣＨであるか否かによって、基地局は各々該当する手続を行うことができる。
【０５１０】
これに関して、前述した基地局の動作は、本明細書の図１７及び図１８に示す基地局装置１７１０、１８１０によって具体的に実現されることができる。例えば、前述した基地局の動作は、プロセッサ１７１１、１８１１及び／又はＲＦユニット（又はモジュール）１７１３、１８１５によって行われることができる。
【０５１１】
具体的に、プロセッサ１７１１、１８１１は、端末に送信される上位層のシグナリングを介して、基地局がプリアンブルフォーマット２を支援する可否を知らせることができる。
【０５１２】
例えば、プロセッサ１７１１、１８１１は、例えば、基地局は上位層のシグナリング（例えば、ＳＩＢ等）を介して送信されるＣＥレベルでＮＰＲＡＣＨのフォーマット２を送信するための資源の割り当て可否を介して、基地局がプリアンブルフォーマット２を支援するか否かを端末に知らせることができる。
【０５１３】
また、プロセッサ１８１１、１９１１は、ＲＦユニット（又はモジュール）１７１３、１８１５を介して端末にＮＰＤＣＣＨ  ｏｒｄｅｒを介したＲＡＣＨ手続を行うために、ダウンリンク制御情報（Ｄｏｗｎｌｉｎｋ  Ｃｏｎｔｒｏｌ  Ｉｎｆｏｒｍａｔｉｏｎ：ＤＣＩ）を含むダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）を送信するように制御することができる。
【０５１４】
この際、ＤＣＩのフォーマットは、表１７及び前記で説明したことと同一のフォーマットで構成されることができる。
【０５１５】
具体的に、ＤＣＩは、端末が送信すべき（又は端末に割り当てられた）プリアンブルのフォーマットがフォーマット０／１であるか、フォーマット２であるか否かを指示するプリアンブルフォーマット指示子、プリアンブルを送信するための副搬送波（Ｓｕｂｃａｒｒｉｅｒ）に関する情報である副搬送波指示子、ＤＣＩのフォーマットを示すフラグ、任意接続手続繰り返しの開始番号に関する開始番号の情報、及び／又はプリアンブルの送信のための搬送波に関する搬送波指示子のうち少なくとも一つを含むことができる。
【０５１６】
ＮＰＤＣＣＨ  ｏｒｄｅｒにより開始されるＲＡＣＨ手続のためのＤＣＩのビット数は２４ビットであってもよく、設定されたフィールド以外の残りのビットは、端末のブラインドデコーディングの回数を減らすために、「１」の値に設定されることができる。
【０５１７】
端末は、ＤＣＩのプリアンブルフォーマット指示子を介して、端末が送信すべきプリアンブルのフォーマットを認識することができる。
【０５１８】
例えば、プリアンブルフォーマット指示子フィールドのビット値が「０」である場合、プリアンブルフォーマット０／１を指示し、「１」である場合は、プリアンブルフォーマット２を指示する。
【０５１９】
プリアンブルフォーマット０／１は、前記で説明した通り、３．７５ｋＨｚの副搬送波間隔を有することができ、最大４８個のＲＡＰＩＤが設定できる。
【０５２０】
プリアンブルフォーマット２は、前記で説明した通り、１．２５ｋＨｚの副搬送波間隔を有することができ、最大１４４個のＲＡＩＩＤが設定できる。
【０５２１】
ＤＣＩの副搬送波指示子フィールドは、端末のプリアンブルの送信のために割り当てられた副搬送波を示し、プリアンブルフォーマット指示子の値によって、フィールドのビット数が変わり得る。
【０５２２】
即ち、プリアンブルフォーマット指示子によって指示されたプリアンブルフォーマットの副搬送波間隔が小さくなると、プリアンブルフォーマット指示子フィールドのビット数は同一又は増加し得る。
【０５２３】
この際、プリアンブルフォーマット指示子のビット数は、数式４によって決定されることができる。
【０５２４】
例えば、プリアンブルフォーマットが０／１である場合、ＲＡＰＩＤは最大４８個であるので、プリアンブルを送信するための副搬送波の個数は最大４８個になる。従って、プリアンブルフォーマット指示子は、４８個の副搬送波を各々示すために、６ビットになることができる。
【０５２５】
しかし、プリアンブルフォーマットが２である場合、ＲＡＰＩＤは最大１４４個であるので、プリアンブルを送信するための副搬送波の個数は最大１４４個になる。従って、プリアンブルフォーマット指示子は１４４個の副搬送波を各々示すために、８ビットになることができる。
【０５２６】
以降、プロセッサ１８１１、１９１１は、ＲＦユニット（又はモジュール）１７１３、１８１５を介してＤＣＩによって指示されたプリアンブルフォーマットによって端末に割り当てられた副搬送波で端末からプリアンブルを受信するように制御することができる。
【０５２７】
例えば、プロセッサ１８１１、１９１１は、ＲＦユニット（又はモジュール）１７１３、１８１５を介してＤＣＩに基づいて指示されたプリアンブルフォーマット０／１である場合、プリアンブルフォーマット０／１であるプリアンブル（第１のプリアンブル）を端末から受信し、プリアンブルフォーマット２である場合、プリアンブルフォーマット２であるプリアンブル（第２のプリアンブル）を端末から受信するように制御することができる。
【０５２８】
以降、プロセッサ１８１１、１９１１は、ＲＦユニット（又はモジュール）１７１３、１８１５を介して端末に任意接続プリアンブルに対する応答として任意接続応答を送信するように制御することができ、ＲＡＣＨ手続が競合ベースのＲＡＣＨであるか否かによって、各々該当する手続を行うように制御することができる。
【０５２９】
本発明が適用できる装置一般
【０５３０】
図１７は、本明細書で提案する方法が適用できる無線通信装置のブロック構成図を例示する。
【０５３１】
図１７を参照すると、無線通信システムは、基地局１７１０と、基地局領域内に位置した複数の端末１７２０を含む。
【０５３２】
前記基地局と端末は、各々無線装置で表現されることもできる。
【０５３３】
基地局１７１０は、プロセッサ（ｐｒｏｃｅｓｓｏｒ）１７１１、メモリ（ｍｅｍｏｒｙ）１７１２、及びＲＦモジュール（ｒａｄｉｏ  ｆｒｅｑｕｅｎｃｙ  ｍｏｄｕｌｅ）１７１３を含む。プロセッサ１７１１は、前記図１乃至図１６で提案された機能、過程及び／又は方法を実現する。無線インターフェースプロトコルの層はプロセッサによって実現されることができる。メモリはプロセッサと連結されて、プロセッサを駆動するための様々な情報を格納する。ＲＦモジュールはプロセッサと連結され、無線信号を送信及び／又は受信する。
【０５３４】
端末は、プロセッサ１７２１、メモリ１７２２、及びＲＦモジュール１７２３を含む。
【０５３５】
プロセッサは、前記図１乃至図１５で提案された機能、過程及び／又は方法を実現する。無線インターフェースプロトコルの層は、プロセッサによって実現されることができる。メモリはプロセッサと連結され、プロセッサを駆動するための様々な情報を格納する。ＲＦモジュール１７２３はプロセッサと連結され、無線信号を送信及び／又は受信する。
【０５３６】
メモリ１７１２、１７２２は、プロセッサ１７１１、１７２１の内部または外部にあってもよく、よく知られている様々な手段でプロセッサと連結されてもよい。
【０５３７】
また、基地局及び／又は端末は、１個のアンテナ（ｓｉｎｇｌｅ  ａｎｔｅｎｎａ）又は多重アンテナ（ｍｕｌｔｉｐｌｅ  ａｎｔｅｎｎａ）を有することができる。
【０５３８】
図１８は、本明細書で提案する方法が適用できる無線通信装置のブロック構成図のまた別の例示である。
【０５３９】
図１８を参照すると、無線通信システムは基地局１８１０と基地局領域内に位置した複数の端末１８２０を含む。基地局は送信装置で、端末は受信装置で表現されることができ、その逆も可能である。基地局と端末は、プロセッサ（ｐｒｏｃｅｓｓｏｒ）１８１１、１８２１、メモリ（ｍｅｍｏｒｙ）１８１４、１８２４、一つ以上のＴｘ／Ｒｘ  ＲＦモジュール（ｒａｄｉｏ  ｆｒｅｑｕｅｎｃｙ  ｍｏｄｕｌｅ）１８１５、１８２５、Ｔｘプロセッサ１８１２、１８２２、Ｒｘプロセッサ１８１３、１８２３、アンテナ１８１６、１８２６を含む。プロセッサは、前記で見た機能、過程及び／又は方法を実現する。より具体的に、ＤＬ（基地局から端末への通信）で、コアネットワークからの上位層のパケットは、プロセッサ１８１１に提供される。プロセッサは、Ｌ２層の機能を実現する。ＤＬで、プロセッサは論理チャネルと送信チャネル間の多重化（ｍｕｌｔｉｐｌｅｘｉｎｇ）、無線資源割り当てを端末１８２０に提供し、端末へのシグナリングを担当する。送信（ＴＸ）プロセッサ１８１２は、Ｌ１層（即ち、物理層）に対する様々な信号処理機能を実現する。信号処理機能は、端末でＦＥＣ（ｆｏｒｗａｒｄ  ｅｒｒｏｒ  ｃｏｒｒｅｃｔｉｏｎ）を容易にし、コーディング及びインターリービング（ｃｏｄｉｎｇ  ａｎｄ  ｉｎｔｅｒｌｅａｖｉｎｇ）を含む。符号化及び変調したシンボルは並列ストリームに分割され、各々のストリームは、ＯＦＤＭ副搬送波にマッピングされ、時間及び／又は周波数領域で基準信号（Ｒｅｆｅｒｅｎｃｅ  Ｓｉｇｎａｌ、ＲＳ）と多重化され、ＩＦＦＴ（Ｉｎｖｅｒｓｅ  Ｆａｓｔ  Ｆｏｕｒｉｅｒ  Ｔｒａｎｓｆｏｒｍ）を用いて共に結合され、時間領域ＯＦＤＭＡシンボルストリームを運搬する物理的チャネルを生成する。ＯＦＤＭストリームは、多重空間ストリームを生成するために、空間的にプリコーディングされる。各々の空間ストリームは、個別のＴｘ／Ｒｘモジュール（又は送受信機１８１５）を介して異なるアンテナ１８１６に提供されることができる。各々のＴｘ／Ｒｘモジュールは、送信のために各々の空間ストリームにＲＦ搬送波を変調することができる。端末で、各々のＴｘ／Ｒｘモジュール（又は送受信機１８２５）は各Ｔｘ／Ｒｘモジュールの各アンテナ１８２６を介して信号を受信する。各々のＴｘ／Ｒｘモジュールは、ＲＦキャリアに変調された情報を復元し、受信（ＲＸ）プロセッサ１８２３に提供する。ＲＸプロセッサは、層１の多様な信号プロセシング機能を実現する。ＲＸプロセッサは、端末に向かう任意の空間ストリームを復旧するために、情報に空間プロセシングを行うことができる。もし、複数の空間ストリームが端末に向かう場合、複数のＲＸプロセッサによって単一ＯＦＤＭＡシンボルストリームに結合されることができる。ＲＸプロセッサは、高速フーリエ変換（ＦＦＴ）を用いて、ＯＦＤＭＡシンボルストリームを時間領域から周波数領域に変換する。周波数領域の信号は、ＯＦＤＭ信号の各々のサブキャリアに対する個別的なＯＦＤＭＡシンボルストリームを含む。各々のサブキャリア上のシンボル及び基準信号は、基地局によって送信された最も可能性のある信号配置のポイントを決定することによって復元され復調さ��る。このような軟判定（ｓｏｆｔ  ｄｅｃｉｓｉｏｎ）は、チャネル推定値に基づくことができる。軟判定は、物理チャネル上で基地局によって本来送信されたデータ及び制御信号を復元するために、デコーディング及びデインタリービングされる。該当データ及び制御信号は、プロセッサ１８２１に提供される。
【０５４０】
ＵＬ（端末から基地局への通信）は、端末１８２０で受信機の機能に関して記述されたことと類似の方式で基地局１８１０で処理される。各々のＴｘ／Ｒｘモジュール１８２５は、各々のアンテナ１８２６を介して信号を受信する。各々のＴｘ／Ｒｘモジュールは、ＲＦ搬送波及び情報をＲＸプロセッサ１８２３に提供する。プロセッサ１８２１は、プログラムコード及びデータを格納するメモリ１８２４と関連し得る。メモリは、コンピュータ読み取り可能な媒体と称され得る。
【０５４１】
以上で説明された実施例は、本発明の構成要素と特徴が所定の形態で結合されたものである。要素または特徴は、別の明示的な言及がない限り、選択的なものと考慮されなければならない。各構成要素または特徴は、他の構成要素や特徴と結合されていない形態で実施され得る。また、一部の構成要素及び／又は特徴を結合して、本発明の実施例を構成することも可能である。本発明の実施例で説明される動作の順序は変更され得る。ある実施例の一部構成や特徴は、他の実施例に含まれてもよく、または他の実施例の対応する構成または特徴と交換してもよい。特許請求範囲で明示的な引用関係のない請求項を結合して実施例を構成したり、出願後の補正により新たな請求項に含ませることができることは自明である。
【０５４２】
本発明に係る実施例は、様々な手段、例えば、ハードウェア、ファームウェア（ｆｉｒｍｗａｒｅ）、ソフトウェアまたはそれらの結合などにより実現されることができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより実現されることができる。
【０５４３】
ファームウェアやソフトウェアによる実現の場合、本発明の一実施例は、以上で説明された機能または動作を行うモジュール、手続、関数などの形態で実現されることができる。ソフトウェアのコードは、メモリに格納され、プロセッサによって駆動されることができる。前記メモリは、前記プロセッサの内部または外部に位置し、既に公知となった多様な手段により、前記プロセッサとデータをやり取りすることができる。
【０５４４】
本発明は、本発明の必須的特徴を外れない範囲で他の特定の形態で具体化されることができることは当業者にとって自明である。したがって、前述した詳細な説明は、全ての面で制限的に解釈されてはならず、例示的なものと考慮されるべきである。本発明の範囲は、添付された請求項の合理的解釈によって決定されるべきであり、本発明の等価的範囲内での全ての変更は、本発明の範囲に含まれる。
【産業上の利用可能性】
【０５４５】
本発明は、３ＧＰＰ  ＬＴＥ／ＬＴＥ−Ａ／ＮＲシステムに適用される例を中心に説明したが、３ＧＰＰ  ＬＴＥ／ＬＴＥ−Ａ／ＮＲシステム以外にも、様々な無線通信システムに適用することが可能である。
【図１】
0006989708.tif 000065
【図２】
0006989708.tif 000066
【図３】
0006989708.tif 000067
【図４】
0006989708.tif 000068
【図５】
0006989708.tif 000069
【図６】
0006989708.tif 000070
【図７】
0006989708.tif 000071
【図８】
0006989708.tif 000072
【図９】
0006989708.tif 000073
【図１０】
0006989708.tif 000074
【図１１】
0006989708.tif 000075
【図１２】
0006989708.tif 000076
【図１３】
0006989708.tif 000077
【図１４】
0006989708.tif 000078
【図１５】
0006989708.tif 000079
【図１６】
0006989708.tif 000080
【図１７】
0006989708.tif 000081
【図１８】
0006989708.tif 000082